(57)【要約】【課題】冷凍装置の能力を適切に制御し易くすることによって、冷凍装置の使い勝手を向上させる。【解決手段】冷凍装置（10）の冷媒回路（11）には、第１圧縮機部（111）と第２圧縮機部（112）とが設けられる。第１圧縮機部（111）は、第１吸入配管（32）を介して第１利用側熱交換器（74）と連通する。第２圧縮機部（112）は、第２吸入配管（34）を介して第２利用側熱交換器（84）又は熱源側熱交換器（26）に連通する。第１吸入配管（32）と第２吸入配管（34）は、接続用配管（47）を介して接続される。接続用配管（47）には、開度可変の調節弁（48）が設けられる。【選択図】図１
2014070822.tif 000002
【特許請求の範囲】
【請求項１】
一台または複数台の圧縮機（24,25）によってそれぞれが構成される第１圧縮機部（111）及び第２圧縮機部（112）と、熱源側熱交換器（26）と、第１利用側熱交換器（74）と、第２利用側熱交換器（84）とを有して冷凍サイクルを行う冷媒回路（11）を備えた冷凍装置であって、
上記冷媒回路（11）は、
上記第１圧縮機部（111）に接続して該第１圧縮機部（111）を上記第１利用側熱交換器（74）に連通させる第１吸入配管（32）と、
上記第２圧縮機部（112）に接続する第２吸入配管（34）と、
上記第２吸入配管（34）が上記第２利用側熱交換器（84）に連通する状態と該第２吸入配管（34）が上記熱源側熱交換器（26）に連通する状態とを切り換えるための切換機構（110）と、
一端が上記第１吸入配管（32）に接続して他端が上記第２吸入配管（34）に接続する接続用配管（47）と、
上記接続用配管（47）に設けられた開度可変の調節弁（48）とを備えている
ことを特徴とする冷凍装置。
【請求項２】
請求項１において、
上記熱源側熱交換器（26）が凝縮器として機能し、上記第１利用側熱交換器（74）と上記第２利用側熱交換器（84）の両方が蒸発器として機能する第１冷却運転を実行可能であり、
上記第１圧縮機部（111）及び上記第２圧縮機部（112）の運転容量と、上記調節弁（48）の開度とを調節する制御器（120）を備え、
上記制御器（120）は、上記第１冷却運転中に上記第１圧縮機部（111）及び上記第２圧縮機部（112）の運転容量が所定の基準容量を下回る場合に、上記調節弁（48）を全閉状態に保ち、上記第１吸入配管（32）の冷媒圧力が第１目標低圧となるように上記第１圧縮機部（111）の運転容量を調節し、上記第２吸入配管（34）の冷媒圧力が上記第１目標低圧よりも高い第２目標低圧となるように上記第２圧縮機部（112）の運転容量を調節する
ことを特徴とする冷凍装置。
【請求項３】
請求項２において、
上記制御器（120）は、
上記第１冷却運転中に上記第１圧縮機部（111）の運転容量が上記基準容量を下回って上記第２圧縮機部（112）の運転容量が上記基準容量以上である場合に、
上記第１吸入配管（32）の冷媒圧力が上記第１目標低圧となるように上記調節弁（48）の開度を調節し、上記第２吸入配管（34）の冷媒圧力が上記第２目標低圧となるように上記第１圧縮機部（111）の運転容量を調節する動作、又は
上記第２吸入配管（34）の冷媒圧力が上記第２目標低圧となるように上記調節弁（48）の開度を調節し、上記第１吸入配管（32）の冷媒圧力が上記第１目標低圧となるように上記第１圧縮機部（111）の運転容量を調節する動作を行う
ことを特徴とする冷凍装置。
【請求項４】
請求項２又は３において、
上記制御器（120）は、上記第１冷却運転中に上記第１圧縮機部（111）及び上記第２圧縮機部（112）の運転容量が所定の基準容量以上である場合に、上記第１吸入配管（32）の冷媒圧力が上記第１目標低圧となるように上記調節弁（48）の開度を調節する
ことを特徴とする冷凍装置。
【請求項５】
請求項２乃至４のいずれか一つにおいて、
上記熱源側熱交換器（26）が凝縮器として機能し、上記第２利用側熱交換器（84）が蒸発器として機能し、上記第１利用側熱交換器（74）が休止する第２冷却運転を実行可能であり、
上記制御器（120）は、上記第２冷却運転中に上記第２圧縮機部（112）の運転容量が上記基準容量を下回る場合に、上記調節弁（48）を全閉状態に保ち、上記第１圧縮機部（111）を停止状態に保ち、上記第２吸入配管（34）の冷媒圧力が上記第２目標低圧となるように上記第２圧縮機部（112）の運転容量を調節する
ことを特徴とする冷凍装置。
【請求項６】
請求項５において、
上記制御器（120）は、上記第２冷却運転中に上記第２圧縮機部（112）の運転容量が上記基準容量以上である場合に、上記第１吸入配管（32）の冷媒圧力が第１目標低圧となるように上記調節弁（48）の開度を調節し、上記第２吸入配管（34）の冷媒圧力が上記第２目標低圧となるように上記第１圧縮機部（111）及び上記第２圧縮機部（112）の運転容量を調節する
ことを特徴とする冷凍装置。
【請求項７】
請求項６において、
上記制御器（120）は、上記第２冷却運転中に上記第１圧縮機部（111）及び上記第２圧縮機部（112）の運転容量が上記基準容量以上である場合に、上記第１吸入配管（32）の冷媒圧力が上記第１目標低圧となるように上記調節弁（48）の開度を調節する
ことを特徴とする冷凍装置。
【請求項８】
請求項２乃至７いずれか一つにおいて、
上記熱源側熱交換器（26）が凝縮器として機能し、上記第１利用側熱交換器（74）が蒸発器として機能し、上記第２利用側熱交換器（84）が休止する第３冷却運転を実行可能であり、
上記制御器（120）は、上記第３冷却運転中に上記第１圧縮機部（111）の運転容量が上記基準容量を下回る場合に、上記調節弁（48）を全閉状態とし、上記第１吸入配管（32）の冷媒圧力が上記第１目標低圧となるように上記第１圧縮機部（111）の運転容量を調節し、上記第２圧縮機部（112）を停止状態に保つ
ことを特徴とする冷凍装置。
【請求項９】
請求項８において、
上記制御器（120）は、上記第３冷却運転中に上記第１圧縮機部（111）の運転容量が上記基準容量以上である場合に、上記調節弁（48）を全開状態とし、上記第１吸入配管（32）の冷媒圧力が上記第１目標低圧となるように上記第１圧縮機部（111）及び上記第２圧縮機部（112）の運転容量を調節する
ことを特徴とする冷凍装置。
【請求項１０】
請求項１において、
上記熱源側熱交換器（26）及び上記第２利用側熱交換器（84）が凝縮器として機能し、上記第１利用側熱交換器（74）が蒸発器として機能する第１併存運転を実行可能であり、
上記第１圧縮機部（111）及び上記第２圧縮機部（112）の運転容量と、上記調節弁（48）の開度とを調節する制御器（120）を備え、
上記制御器（120）は、上記第１併存運転中に上記第１圧縮機部（111）の運転容量が所定の基準容量を下回る場合に、上記第１吸入配管（32）の冷媒圧力が所定の目標低圧となるように上記第１圧縮機部（111）の運転容量を調節し、上記第２圧縮機部（112）を停止状態に保つ
ことを特徴とする冷凍装置。
【請求項１１】
請求項１０において、
上記制御器（120）は、上記第１併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第１圧縮機部（111）及び上記第２圧縮機部（112）の運転容量を調節する
ことを特徴とする冷凍装置。
【請求項１２】
請求項１において、
上記熱源側熱交換器（26）が休止し、上記第２利用側熱交換器（84）が凝縮器として機能し、上記第１利用側熱交換器（74）が蒸発器として機能する第２併存運転を実行可能であり、
上記第１圧縮機部（111）及び上記第２圧縮機部（112）の運転容量と、上記調節弁（48）の開度とを調節する制御器（120）を備え、
上記制御器（120）は、上記第２併存運転中に上記第１圧縮機部（111）の運転容量が所定の基準容量を下回る場合に、上記調節弁（48）を全閉状態に保ち、上記第１吸入配管（32）の冷媒圧力が所定の目標低圧となるように上記第１圧縮機部（111）の運転容量を調節し、上記第２圧縮機部（112）を停止状態に保つ
ことを特徴とする冷凍装置。
【請求項１３】
請求項１２において、
上記制御器（120）は、上記第２併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第２圧縮機部（112）の運転容量を調節する
ことを特徴とする冷凍装置。
【請求項１４】
請求項１において、
上記第２利用側熱交換器（84）が凝縮器として機能し、上記熱源側熱交換器（26）及び上記第１利用側熱交換器（74）が蒸発器として機能する第３併存運転を実行可能であり、
上記第１圧縮機部（111）及び上記第２圧縮機部（112）の運転容量と、上記調節弁（48）の開度とを調節する制御器（120）を備え、
上記制御器（120）は、上記第３併存運転中に上記第１圧縮機部（111）の運転容量が所定の基準容量を下回る場合に、上記調節弁（48）を全閉状態に保ち、上記第１吸入配管（32）の冷媒圧力が所定の目標低圧となるように上記第１圧縮機部（111）の運転容量を調節し、上記第２利用側熱交換器（84）における冷媒の凝縮温度が所定の目標温度となるように上記第２圧縮機部（112）の運転容量を調節する
ことを特徴とする冷凍装置。
【請求項１５】
請求項１４において、
上記制御器（120）は、上記第３併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第２圧縮機部（112）の運転容量を調節する
ことを特徴とする冷凍装置。
【請求項１６】
請求項１において、
上記第２利用側熱交換器（84）が凝縮器として機能し、上記熱源側熱交換器（26）が蒸発器として機能し、上記第１利用側熱交換器（74）が休止する加熱運転を実行可能であり、
上記第１圧縮機部（111）及び上記第２圧縮機部（112）の運転容量と、上記調節弁（48）の開度とを調節する制御器（120）を備え、
上記制御器（120）は、上記加熱運転中に上記第２圧縮機部（112）の運転容量が所定の基準容量を下回る場合に、上記調節弁（48）を全閉状態に保ち、上記第２利用側熱交換器（84）における冷媒の凝縮温度が所定の目標温度となるように上記第２圧縮機部（112）の運転容量を調節する
ことを特徴とする冷凍装置。
【請求項１７】
請求項１６において、
上記制御器（120）は、上記加熱運転中に上記第２圧縮機部（112）の運転容量が上記基準容量以上になると、上記調節弁（48）を全開状態とし、上記第２利用側熱交換器（84）における冷媒の凝縮温度が上記目標温度となるように上記第１圧縮機部（111）の運転容量を調節する
ことを特徴とする冷凍装置。
【発明の詳細な説明】
【技術分野】
【０００１】
本発明は、複数種類の利用側熱交換器が設けられた冷凍装置に関するものである。
【背景技術】
【０００２】
従来より、複数種類の利用側熱交換器を備えた冷凍装置が知られている。例えば、特許文献１には、室内の冷房または暖房を行うための利用側熱交換器である室内熱交換器と、ショーケース等の庫内を冷却するための利用側熱交換器である冷蔵熱交換器とを備えた冷凍装置が開示されている。この冷凍装置の冷媒回路には、三台の圧縮機が設けられている。この冷媒回路において、第１圧縮機は冷蔵熱交換器において蒸発した冷媒を吸い込んで圧縮し、第３圧縮機は室内熱交換器において蒸発した冷媒を吸い込んで圧縮する。また、第２圧縮機は、冷蔵熱交換器において蒸発した冷媒を吸い込む状態と、室内熱交換器において蒸発した冷媒を吸い込む状態とに切り換わる。
【０００３】
特許文献１の冷凍装置では、冷蔵熱交換器における冷却負荷を第１圧縮機だけで処理できない場合に、第２圧縮機が冷蔵熱交換器において蒸発した冷媒を吸い込む状態となる。この場合、冷蔵熱交換器において蒸発した冷媒の一部が第１圧縮機に吸い込まれ、残りが第２圧縮機に吸い込まれる。一方、この冷凍装置では、空調熱交換器における冷房負荷を第３圧縮機だけで処理できない場合に、第２圧縮機が室内熱交換器において蒸発した冷媒を吸い込む状態となる。この場合、空調熱交換器において蒸発した冷媒の一部が第３圧縮機に吸い込まれ、残りが第２圧縮機に吸い込まれる。
【先行技術文献】
【特許文献】
【０００４】
【特許文献１】特開２００９−１８０４５１号公報
【発明の概要】
【発明が解決しようとする課題】
【０００５】
特許文献１の冷凍装置では、第２圧縮機の接続先を切り換えることによって、冷蔵熱交換器または空調熱交換器から冷媒を吸い込む圧縮機の台数が、一台から二台へ、あるいは二台から一台へ変化する。このため、冷蔵熱交換器において得られる冷却能力や、空調熱交換器において得られる冷房能力が急激に変化し、冷凍装置の能力を適切に制御するのが困難となるおそれがあった。
【０００６】
本発明は、かかる点に鑑みてなされたものであり、その目的は、冷凍装置の能力を適切に制御し易くすることによって、冷凍装置の使い勝手を向上させることにある。
【課題を解決するための手段】
【０００７】
第１の発明は、一台または複数台の圧縮機（24,25）によってそれぞれが構成される第１圧縮機部（111）及び第２圧縮機部（112）と、熱源側熱交換器（26）と、第１利用側熱交換器（74）と、第２利用側熱交換器（84）とを有して冷凍サイクルを行う冷媒回路（11）を備えた冷凍装置を対象とする。そして、上記冷媒回路（11）は、上記第１圧縮機部（111）に接続して該第１圧縮機部（111）を上記第１利用側熱交換器（74）に連通させる第１吸入配管（32）と、上記第２圧縮機部（112）に接続する第２吸入配管（34）と、上記第２吸入配管（34）が上記第２利用側熱交換器（84）に連通する状態と該第２吸入配管（34）が上記熱源側熱交換器（26）に連通する状態とを切り換えるための切換機構（110）と、  一端が上記第１吸入配管（32）に接続して他端が上記第２吸入配管（34）に接続する接続用配管（47）と、上記接続用配管（47）に設けられた開度可変の調節弁（48）とを備えるものである。
【０００８】
第１の発明では、冷凍装置（10）に冷媒回路（11）が設けられる。冷媒回路（11）では、第１圧縮機部（111）を構成する圧縮機（24）が、第１吸入配管（32）を介して第１利用側熱交換器（74）に接続する。第１利用側熱交換器（74）が蒸発器として機能する場合は、第１利用側熱交換器（74）において蒸発した冷媒が、第１吸入配管（32）を通って第１圧縮機部（111）を構成する圧縮機（24）へ吸入される。また、冷媒回路（11）では、第２圧縮機部（112）を構成する圧縮機（25）が第２吸入配管（34）に接続し、第２吸入配管（34）が切換機構（110）を介して第２利用側熱交換器（84）と熱源側熱交換器（26）とに接続する。第２利用側熱交換器（84）が蒸発器として機能する場合は、切換機構（110）が第２吸入配管（34）を第２利用側熱交換器（84）に連通させる状態となり、第２利用側熱交換器（84）において蒸発した冷媒が、第２吸入配管（34）を通って第２圧縮機部（112）を構成する圧縮機（25）へ吸入される。一方、熱源側熱交換器（26）が蒸発器として機能する場合は、切換機構（110）が第２吸入配管（34）を熱源側熱交換器（26）に連通させる状態となり、熱源側熱交換器（26）において蒸発した冷媒が、第２吸入配管（34）を通って第２圧縮機部（112）を構成する圧縮機（25）へ吸入される。
【０００９】
第１の発明では、冷媒回路（11）に接続用配管（47）が設けられる。また、接続用配管（47）には、調節弁（48）が設けられる。調節弁（48）が開いた状態では、第１吸入配管（32）を流れる冷媒の一部が第２圧縮機部（112）へ吸入され、あるいは第２吸入配管（34）を流れる冷媒の一部が第１圧縮機部（111）へ吸入される。前者の場合、第１利用側熱交換器（74）から第１吸入配管（32）へ流入した冷媒は、その一部が接続用配管（47）を通って第２圧縮機部（112）へ吸入され、残りが第１圧縮機部（111）へ吸入される。この場合には、調節弁（48）の開度が大きくなるほど、接続用配管（47）を通って第２圧縮機部（112）へ吸入される冷媒の流量が多くなる。一方、後者の場合、第２利用側熱交換器（84）又は熱源側熱交換器（26）から第２吸入配管（34）へ流入した冷媒は、その一部が接続用配管（47）を通って第１圧縮機部（111）へ吸入され、残りが第２圧縮機部（112）へ吸入される。この場合には、調節弁（48）の開度が大きくなるほど、接続用配管（47）を通って第１圧縮機部（111）へ吸入される冷媒の流量が多くなる。
【００１０】
第２の発明は、上記第１の発明において、上記熱源側熱交換器（26）が凝縮器として機能し、上記第１利用側熱交換器（74）と上記第２利用側熱交換器（84）の両方が蒸発器として機能する第１冷却運転を実行可能であり、上記第１圧縮機部（111）及び上記第２圧縮機部（112）の運転容量と、上記調節弁（48）の開度とを調節する制御器（120）を備え、上記制御器（120）は、上記第１冷却運転中に上記第１圧縮機部（111）及び上記第２圧縮機部（112）の運転容量が所定の基準容量を下回る場合に、上記調節弁（48）を全閉状態に保ち、上記第１吸入配管（32）の冷媒圧力が第１目標低圧となるように上記第１圧縮機部（111）の運転容量を調節し、上記第２吸入配管（34）の冷媒圧力が上記第１目標低圧よりも高い第２目標低圧となるように上記第２圧縮機部（112）の運転容量を調節するものである。
【００１１】
第２の発明の冷凍装置（10）は、第１冷却運転を実行できる。第１冷却運転中には、第１利用側熱交換器（74）において蒸発した冷媒が第１吸入配管（32）を通って第１圧縮機部（111）へ吸入され、第２利用側熱交換器（84）において蒸発した冷媒が第２吸入配管（34）を通って第２圧縮機部（112）へ吸入される。また、この発明の冷凍装置（10）には、制御器（120）が設けられる。
【００１２】
第１冷却運転中に第１圧縮機部（111）及び第２圧縮機部（112）の運転容量が所定の基準容量を下回る場合は、第１利用側熱交換器（74）における冷却負荷を第１圧縮機部（111）だけで処理することができ、第２利用側熱交換器（84）における冷却負荷を第２圧縮機部（112）だけで処理することができる。そこで、第２の発明の制御器（120）は、上記調節弁（48）を全閉状態に保つ。この場合、第１利用側熱交換器（74）において蒸発した冷媒は、第１圧縮機部（111）を構成する圧縮機（24）だけに吸入され、第２利用側熱交換器（84）において蒸発した冷媒は、第２圧縮機部（112）を構成する圧縮機（25）だけに吸入される。
【００１３】
また、この場合、第２の発明の制御器（120）は、第１吸入配管（32）の冷媒圧力が第１目標低圧となるように第１圧縮機部（111）の運転容量を調節し、第２吸入配管（34）の冷媒圧力が第２目標低圧となるように第２圧縮機部（112）の運転容量を調節する。第２目標低圧は、第１目標低圧よりも高い。このため、第２利用側熱交換器（84）における冷媒の蒸発温度は、第１利用側熱交換器（74）における冷媒の蒸発温度よりも高くなる。
【００１４】
第３の発明は、上記第２の発明において、上記制御器（120）は、上記第１冷却運転中に上記第１圧縮機部（111）の運転容量が上記基準容量を下回って上記第２圧縮機部（112）の運転容量が上記基準容量以上である場合に、上記第１吸入配管（32）の冷媒圧力が上記第１目標低圧となるように上記調節弁（48）の開度を調節し、上記第２吸入配管（34）の冷媒圧力が上記第２目標低圧となるように上記第１圧縮機部（111）の運転容量を調節する動作、又は上記第２吸入配管（34）の冷媒圧力が上記第２目標低圧となるように上記調節弁（48）の開度を調節し、上記第１吸入配管（32）の冷媒圧力が上記第１目標低圧となるように上記第１圧縮機部（111）の運転容量を調節する動作を行うものである。
【００１５】
第３の発明の制御器（120）は、第１冷却運転中に第１圧縮機部（111）の運転容量が基準容量を下回って第２圧縮機部（112）の運転容量が基準容量以上である場合に、所定の動作を行う。この場合は、第２利用側熱交換器（84）における冷却負荷を第２圧縮機部（112）だけで処理することができず、あるいは第２利用側熱交換器（84）における冷却負荷を第２圧縮機部（112）だけで処理するのが適当ではない。そこで、制御器（120）は、下記第１の動作と第２の動作のいずれか一方を行う。
【００１６】
第３の発明の制御器（120）が行う第１の動作は、第１吸入配管（32）の冷媒圧力が第１目標低圧となるように調節弁（48）の開度を調節し、第２吸入配管（34）の冷媒圧力が第２目標低圧となるように第１圧縮機部（111）の運転容量を調節する動作である。また、この制御器（120）が行う第２の動作は、第２吸入配管（34）の冷媒圧力が第２目標低圧となるように調節弁（48）の開度を調節し、第１吸入配管（32）の冷媒圧力が第１目標低圧となるように第１圧縮機部（111）の運転容量を調節する動作である。
【００１７】
第３の発明の制御器（120）が第１又は第２の動作を行うと、第２吸入配管（34）を流れる冷媒の一部が接続用配管（47）を通って第１圧縮機部（111）へ吸入される。つまり、運転容量が基準容量を下回っている第１圧縮機部（111）が、第１吸入配管（32）を流れる冷媒の全部と、第２吸入配管（34）を流れる冷媒の一部とを吸入する。このため、第１利用側熱交換器（74）における冷却負荷は、第１圧縮機部（111）だけによって処理される一方、第２利用側熱交換器（84）における冷却負荷は、第１圧縮機部（111）と第２圧縮機部（112）の両方によって処理される。
【００１８】
第４の発明は、上記第２又は第３の発明において、上記制御器（120）は、上記第１冷却運転中に上記第１圧縮機部（111）及び上記第２圧縮機部（112）の運転容量が所定の基準容量以上である場合に、上記第１吸入配管（32）の冷媒圧力が上記第１目標低圧となるように上記調節弁（48）の開度を調節するものである。
【００１９】
第４の発明の制御器（120）がこの動作を行うと、通常は、調節弁（48）の開度が次第に減少してゆき、その結果、第２吸入配管（34）から接続用配管（47）を通って第１圧縮機部（111）へ吸入される冷媒の流量が減少してゆく。このため、第１圧縮機部（111）が第１吸入配管（32）から吸入できる冷媒の流量が増加し、第１吸入配管（32）の冷媒圧力の上昇が抑えられる。
【００２０】
第５の発明は、上記第２〜第４のいずれか一つの発明において、上記熱源側熱交換器（26）が凝縮器として機能し、上記第２利用側熱交換器（84）が蒸発器として機能し、上記第１利用側熱交換器（74）が休止する第２冷却運転を実行可能であり、上記制御器（120）は、上記第２冷却運転中に上記第２圧縮機部（112）の運転容量が上記基準容量を下回る場合に、上記調節弁（48）を全閉状態に保ち、上記第１圧縮機部（111）を停止状態に保ち、上記第２吸入配管（34）の冷媒圧力が上記第２目標低圧となるように上記第２圧縮機部（112）の運転容量を調節するものである。
【００２１】
第５の発明の冷凍装置（10）は、第２冷却運転を実行できる。第２冷却運転中には、第２利用側熱交換器（84）において蒸発した冷媒が第２吸入配管（34）を通って第２圧縮機部（112）へ吸入される。第２冷却運転中に上記第２圧縮機部（112）の運転容量が上記基準容量を下回る場合は、第２利用側熱交換器（84）における冷却負荷を第２圧縮機部（112）だけで処理することができる。そこで、制御器（120）は、調節弁（48）を全閉状態に保ち、第２吸入配管（34）の冷媒圧力が第２目標低圧となるように第２圧縮機部（112）の運転容量を調節する。この場合、第２利用側熱交換器（84）において蒸発した冷媒は、第２圧縮機部（112）を構成する圧縮機（25）だけに吸入される。
【００２２】
第６の発明は、上記第５の発明において、上記制御器（120）は、上記第２冷却運転中に上記第２圧縮機部（112）の運転容量が上記基準容量以上である場合に、上記第１吸入配管（32）の冷媒圧力が第１目標低圧となるように上記調節弁（48）の開度を調節し、上記第２吸入配管（34）の冷媒圧力が上記第２目標低圧となるように上記第１圧縮機部（111）及び上記第２圧縮機部（112）の運転容量を調節するものである。
【００２３】
第６の発明の制御器（120）は、第２冷却運転中に第２圧縮機部（112）の運転容量が基準容量以上である場合に、調節弁（48）の開度と第１圧縮機部（111）及び第２圧縮機部（112）の運転容量とを調節する。この場合、第２利用側熱交換器（84）において蒸発した冷媒は、その一部が接続用配管（47）を通って第１圧縮機部（111）へ吸入され、残りが第２圧縮機部（112）へ吸入される。つまり、第２利用側熱交換器（84）における冷却負荷は、第１圧縮機部（111）と第２圧縮機部（112）の両方によって処理される。そして、第１吸入配管（32）の冷媒圧力が第１目標低圧に保たれ、第２吸入配管（34）の冷媒圧力が第２目標低圧に保たれる。
【００２４】
第７の発明は、上記第６の発明において、上記制御器（120）は、上記第２冷却運転中に上記第１圧縮機部（111）及び上記第２圧縮機部（112）の運転容量が上記基準容量以上である場合に、上記第１吸入配管（32）の冷媒圧力が上記第１目標低圧となるように上記調節弁（48）の開度を調節するものである。
【００２５】
第７の発明の制御器（120）がこの動作を行うと、冷媒が調節弁（48）を通過する際にその圧力が第２目標低圧から第１目標低圧へ低下するように、調節弁（48）の開度が調節される。このため、第２冷却運転中に第１圧縮機部（111）の運転容量が上記基準容量以上である場合も、第１吸入配管（32）の冷媒圧力が第１目標低圧に保たれる。
【００２６】
第８の発明は、上記第２〜第７のいずれか一つの発明において、上記熱源側熱交換器（26）が凝縮器として機能し、上記第１利用側熱交換器（74）が蒸発器として機能し、上記第２利用側熱交換器（84）が休止する第３冷却運転を実行可能であり、上記制御器（120）は、上記第３冷却運転中に上記第１圧縮機部（111）の運転容量が上記基準容量を下回る場合に、上記調節弁（48）を全閉状態とし、上記第１吸入配管（32）の冷媒圧力が上記第１目標低圧となるように上記第１圧縮機部（111）の運転容量を調節し、上記第２圧縮機部（112）を停止状態に保つものである。
【００２７】
第８の発明の冷凍装置（10）は、第３冷却運転を実行できる。第３冷却運転中には、第１利用側熱交換器（74）において蒸発した冷媒が第１吸入配管（32）を通って第１圧縮機部（111）へ吸入される。第３冷却運転中に上記第１圧縮機部（111）の運転容量が上記基準容量を下回る場合は、第１利用側熱交換器（74）における冷却負荷を第１圧縮機部（111）だけで処理することができる。そこで、制御器（120）は、調節弁（48）を全閉状態に保ち、第１吸入配管（32）の冷媒圧力が第１目標低圧となるように第１圧縮機部（111）の運転容量を調節する。この場合、第１利用側熱交換器（74）において蒸発した冷媒は、第１圧縮機部（111）を構成する圧縮機（24）だけに吸入される。
【００２８】
第９の発明は、上記第８の発明において、上記制御器（120）は、上記第３冷却運転中に上記第１圧縮機部（111）の運転容量が上記基準容量以上である場合に、上記調節弁（48）を全開状態とし、上記第１吸入配管（32）の冷媒圧力が上記第１目標低圧となるように上記第１圧縮機部（111）及び上記第２圧縮機部（112）の運転容量を調節するものである。
【００２９】
第９の発明の制御器（120）は、第３冷却運転中に第１圧縮機部（111）の運転容量が基準容量以上である場合に、調節弁（48）を全開状態に保ち、第１圧縮機部（111）及び第２圧縮機部（112）の運転容量を調節する。この場合、第１利用側熱交換器（74）において蒸発した冷媒は、その一部が接続用配管（47）を通って第２圧縮機部（112）へ吸入され、残りが第１圧縮機部（111）へ吸入される。つまり、第１利用側熱交換器（74）における冷却負荷は、第１圧縮機部（111）と第２圧縮機部（112）の両方によって処理される。そして、第１吸入配管（32）の冷媒圧力が第１目標低圧に保たれる。
【００３０】
第１０の発明は、上記第１の発明において、上記熱源側熱交換器（26）及び上記第２利用側熱交換器（84）が凝縮器として機能し、上記第１利用側熱交換器（74）が蒸発器として機能する第１併存運転を実行可能であり、上記第１圧縮機部（111）及び上記第２圧縮機部（112）の運転容量と、上記調節弁（48）の開度とを調節する制御器（120）を備え、上記制御器（120）は、上記第１併存運転中に上記第１圧縮機部（111）の運転容量が所定の基準容量を下回る場合に、上記第１吸入配管（32）の冷媒圧力が所定の目標低圧となるように上記第１圧縮機部（111）の運転容量を調節し、上記第２圧縮機部（112）を停止状態に保つものである。
【００３１】
第１０の発明の冷凍装置（10）は、第１併存運転を実行できる。第１併存運転中には、第１圧縮機部（111）から吐出された冷媒の一部が熱源側熱交換器（26）へ供給されて残りが第２利用側熱交換器（84）へ供給され、第１利用側熱交換器（74）において蒸発した冷媒が第１吸入配管（32）を通って第１圧縮機部（111）へ吸入される。蒸発器として機能する第１利用側熱交換器（74）では、空気等の対象物が冷却され、凝縮器として機能する第２利用側熱交換器（84）では、空気等の対象物が加熱される。
【００３２】
第１０の発明の冷凍装置（10）には、制御器（120）が設けられる。第１併存運転中に第１圧縮機部（111）の運転容量が基準容量を下回る場合、制御器（120）は、第１吸入配管（32）の冷媒圧力が目標低圧となるように第１圧縮機部（111）の運転容量を調節する。従って、第１利用側熱交換器（74）における冷媒の蒸発温度が、目標低圧に対応する飽和温度に保たれる。
【００３３】
第１１の発明は、上記第１０の発明において、上記制御器（120）は、上記第１併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第１圧縮機部（111）及び上記第２圧縮機部（112）の運転容量を調節するものである。
【００３４】
第１併存運転中に第１圧縮機部（111）の運転容量が基準容量以上である場合は、第１利用側熱交換器（74）における冷却負荷を第１圧縮機部（111）だけで処理することができず、あるいは第１利用側熱交換器（74）における冷却負荷を第１圧縮機部（111）だけで処理するのが適当ではない。そこで、この場合、第１１の発明の制御器（120）は、調節弁（48）を全開状態に保ち、第１吸入配管（32）の冷媒圧力が目標低圧となるように第１圧縮機部（111）及び第２圧縮機部（112）の運転容量を調節する。この場合、第１利用側熱交換器（74）において蒸発した冷媒は、その一部が第１圧縮機部（111）へ吸入され、残りが接続用配管（47）を通って第２圧縮機部（112）へ吸入される。このため、第１利用側熱交換器（74）における冷却負荷は、第１圧縮機部（111）と第２圧縮機部（112）の両方によって処理される。
【００３５】
第１２の発明は、上記第１の発明において、上記熱源側熱交換器（26）が休止し、上記第２利用側熱交換器（84）が凝縮器として機能し、上記第１利用側熱交換器（74）が蒸発器として機能する第２併存運転を実行可能であり、上記第１圧縮機部（111）及び上記第２圧縮機部（112）の運転容量と、上記調節弁（48）の開度とを調節する制御器（120）を備え、上記制御器（120）は、上記第２併存運転中に上記第１圧縮機部（111）の運転容量が所定の基準容量を下回る場合に、上記調節弁（48）を全閉状態に保ち、上記第１吸入配管（32）の冷媒圧力が所定の目標低圧となるように上記第１圧縮機部（111）の運転容量を調節し、上記第２圧縮機部（112）を停止状態に保つものである。
【００３６】
第１２の発明の冷凍装置（10）は、第２併存運転を実行できる。第２併存運転中には、第１圧縮機部（111）から吐出された冷媒が第２利用側熱交換器（84）へ供給され、第１利用側熱交換器（74）において蒸発した冷媒が第１吸入配管（32）を通って第１圧縮機部（111）へ吸入される。蒸発器として機能する第１利用側熱交換器（74）では、空気等の対象物が冷却され、凝縮器として機能する第２利用側熱交換器（84）では、空気等の対象物が加熱される。
【００３７】
第１２の発明の冷凍装置（10）には、制御器（120）が設けられる。第２併存運転中に第１圧縮機部（111）の運転容量が所定の基準容量を下回る場合、制御器（120）は、調節弁（48）を全閉状態に保ち、第１吸入配管（32）の冷媒圧力が所定の目標低圧となるように第１圧縮機部（111）の運転容量を調節する。従って、第１利用側熱交換器（74）における冷媒の蒸発温度が、目標低圧に対応する飽和温度に保たれる。
【００３８】
第１３の発明は、上記第１２の発明において、上記制御器（120）は、上記第２併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第２圧縮機部（112）の運転容量を調節するものである。
【００３９】
第２併存運転中に第１圧縮機部（111）の運転容量が基準容量以上である場合は、第１利用側熱交換器（74）における冷却負荷を第１圧縮機部（111）だけで処理することができず、あるいは第１利用側熱交換器（74）における冷却負荷を第１圧縮機部（111）だけで処理するのが適当ではない。そこで、この場合、第１３の発明の制御器（120）は、調節弁（48）を全開状態に保ち、第１吸入配管（32）の冷媒圧力が目標低圧となるように第１圧縮機部（111）及び第２圧縮機部（112）の運転容量を調節する。この場合、第１利用側熱交換器（74）において蒸発した冷媒は、その一部が第１圧縮機部（111）へ吸入され、残りが接続用配管（47）を通って第２圧縮機部（112）へ吸入される。このため、第１利用側熱交換器（74）における冷却負荷は、第１圧縮機部（111）と第２圧縮機部（112）の両方によって処理される。
【００４０】
第１４の発明は、上記第１の発明において、上記第２利用側熱交換器（84）が凝縮器として機能し、上記熱源側熱交換器（26）及び上記第１利用側熱交換器（74）が蒸発器として機能する第３併存運転を実行可能であり、上記第１圧縮機部（111）及び上記第２圧縮機部（112）の運転容量と、上記調節弁（48）の開度とを調節する制御器（120）を備え、上記制御器（120）は、上記第３併存運転中に上記第１圧縮機部（111）の運転容量が所定の基準容量を下回る場合に、上記調節弁（48）を全閉状態に保ち、上記第１吸入配管（32）の冷媒圧力が所定の目標低圧となるように上記第１圧縮機部（111）の運転容量を調節し、上記第２利用側熱交換器（84）における冷媒の凝縮温度が所定の目標温度となるように上記第２圧縮機部（112）の運転容量を調節するものである。
【００４１】
第１４の発明の冷凍装置（10）は、第３併存運転を実行できる。第３併存運転中には、第１圧縮機部（111）及び第２圧縮機部（112）から吐出された冷媒が第２利用側熱交換器（84）へ供給され、第１利用側熱交換器（74）において蒸発した冷媒が第１吸入配管（32）を通って第１圧縮機部（111）へ吸入され、熱源側熱交換器（26）において蒸発した冷媒が第２吸入配管（34）を通って第２圧縮機部（112）へ吸入される。蒸発器として機能する第１利用側熱交換器（74）では、空気等の対象物が冷却され、凝縮器として機能する第２利用側熱交換器（84）では、空気等の対象物が加熱される。
【００４２】
第１４の発明の冷凍装置（10）には、制御器（120）が設けられる。第３併存運転中に第１圧縮機部（111）の運転容量が所定の基準容量を下回る場合、制御器（120）は、調節弁（48）を全閉状態に保ち、第１吸入配管（32）の冷媒圧力が所定の目標低圧となるように第１圧縮機部（111）の運転容量を調節し、上記第２利用側熱交換器（84）における冷媒の凝縮温度が目標温度となるように上記第２圧縮機部（112）の運転容量を調節する。従って、第１利用側熱交換器（74）における冷媒の蒸発温度が目標低圧に対応する飽和温度に保たれ、第２利用側熱交換器（84）における冷媒の凝縮温度が目標温度に保たれる。
【００４３】
第１５の発明は、上記第１４の発明において、上記制御器（120）は、上記第３併存運転中に上記第１圧縮機部（111）の運転容量が上記基準容量以上である場合に、上記調節弁（48）を全開状態に保ち、上記第１吸入配管（32）の冷媒圧力が上記目標低圧となるように上記第２圧縮機部（112）の運転容量を調節するものである。
【００４４】
第３併存運転中に第１圧縮機部（111）の運転容量が基準容量以上である場合は、第１利用側熱交換器（74）における冷却負荷を第１圧縮機部（111）だけで処理することができず、あるいは第１利用側熱交換器（74）における冷却負荷を第１圧縮機部（111）だけで処理するのが適当ではない。そこで、この場合、第１５の発明の制御器（120）は、調節弁（48）を全開状態に保ち、第１吸入配管（32）の冷媒圧力が目標低圧となるように第１圧縮機部（111）及び第２圧縮機部（112）の運転容量を調節する。この場合、第１利用側熱交換器（74）において蒸発した冷媒は、その一部が第１圧縮機部（111）へ吸入され、残りが接続用配管（47）を通って第２圧縮機部（112）へ吸入される。このため、第１利用側熱交換器（74）における冷却負荷は、第１圧縮機部（111）と第２圧縮機部（112）の両方によって処理される。
【００４５】
第１６の発明は、上記第１の発明において、上記第２利用側熱交換器（84）が凝縮器として機能し、上記熱源側熱交換器（26）が蒸発器として機能し、上記第１利用側熱交換器（74）が休止する加熱運転を実行可能であり、上記第１圧縮機部（111）及び上記第２圧縮機部（112）の運転容量と、上記調節弁（48）の開度とを調節する制御器（120）を備え、上記制御器（120）は、上記加熱運転中に上記第２圧縮機部（112）の運転容量が所定の基準容量を下回る場合に、上記調節弁（48）を全閉状態に保ち、上記第２利用側熱交換器（84）における冷媒の凝縮温度が所定の目標温度となるように上記第２圧縮機部（112）の運転容量を調節するものである。
【００４６】
第１６の発明の冷凍装置（10）は、加熱運転を実行できる。加熱運転中には、第２圧縮機部（112）から吐出された冷媒が第２利用側熱交換器（84）へ供給され、熱源用側熱交換器において蒸発した冷媒が第２吸入配管（34）を通って第２圧縮機部（112）へ吸入される。凝縮器として機能する第２利用側熱交換器（84）では、空気等の対象物が加熱される。
【００４７】
第１６の発明の冷凍装置（10）には、制御器（120）が設けられる。加熱運転中に第２圧縮機部（112）の運転容量が所定の基準容量を下回る場合、制御器（120）は、調節弁（48）を全閉状態に保ち、第２利用側熱交換器（84）における冷媒の凝縮温度が目標温度となるように第２圧縮機部（112）の運転容量を調節する。従って、第２利用側熱交換器（84）における冷媒の凝縮温度が目標温度に保たれる。
【００４８】
第１７の発明は、上記第１６の発明において、上記制御器（120）は、上記加熱運転中に上記第２圧縮機部（112）の運転容量が上記基準容量以上になると、上記調節弁（48）を全開状態とし、上記第２利用側熱交換器（84）における冷媒の凝縮温度が上記目標温度となるように上記第１圧縮機部（111）の運転容量を調節するものである。
【００４９】
加熱運転中に第２圧縮機部（112）の運転容量が基準容量以上である場合は、第２利用側熱交換器（84）における加熱負荷を第２圧縮機部（112）だけで処理することができず、あるいは第２利用側熱交換器（84）における加熱負荷を第２圧縮機部（112）だけで処理するのが適当ではない。そこで、この場合、第１７の発明の制御器（120）は、調節弁（48）を全開状態に保ち、第２利用側熱交換器（84）における冷媒の凝縮温度が目標温度となるように第１圧縮機部（111）及び第２圧縮機部（112）の運転容量を調節する。この場合、熱源側熱交換器（26）において蒸発した冷媒の一部が第１圧縮機部（111）へ吸入されて残りが第２圧縮機部（112）へ吸入され、第１圧縮機部（111）及び第２圧縮機部（112）から吐出された冷媒が第２利用側熱交換器（84）へ供給される。このため、第２利用側熱交換器（84）における加熱負荷は、第１圧縮機部（111）と第２圧縮機部（112）の両方によって処理される。
【発明の効果】
【００５０】
本発明の冷凍装置（10）では、第１吸入配管（32）と第２吸入配管（34）を接続する接続用配管（47）が冷媒回路（11）に設けられ、開度可変の調節弁（48）が接続用配管（47）に設けられる。このため、本発明の冷凍装置（10）は、第１圧縮機部（111）だけでは第１利用側熱交換器（74）において必要となる冷媒の流量を確保できない場合に、第１吸入配管（32）を流れる冷媒を第１圧縮機部（111）と第２圧縮機部（112）の両方へ吸入させることができる。また、本発明の冷凍装置（10）は、第２圧縮機部（112）だけでは第２利用側熱交換器（84）において必要となる冷媒の流量を確保できない場合に、第２吸入配管（34）を流れる冷媒を第１圧縮機部（111）と第２圧縮機部（112）の両方へ吸入させることができる。
【００５１】
第１吸入配管（32）を流れる冷媒が第１圧縮機部（111）と第２圧縮機部（112）の両方へ吸入される場合には、調節弁（48）の開度を変更することによって、接続用配管（47）を通って第２圧縮機部（112）へ吸入される冷媒の流量を調節することができる。そして、この場合は、調節弁（48）の開度を調節することによって、第１利用側熱交換器（74）を流れる冷媒の流量を、第１利用側熱交換器（74）における冷却負荷（即ち、単位時間に第１利用側熱交換器（74）で冷媒が吸収すべき熱量）に応じた適切な値に設定することが可能となる。
【００５２】
また、第２吸入配管（34）を流れる冷媒が第１圧縮機部（111）と第２圧縮機部（112）の両方へ吸入される場合には、調節弁（48）の開度を変更することによって、接続用配管（47）を通って第１圧縮機部（111）へ吸入される冷媒の流量を調節することができる。そして、この場合は、調節弁（48）の開度を調節することによって、第２利用側熱交換器（84）を流れる冷媒の流量を、第２利用側熱交換器（84）における冷却負荷（即ち、単位時間に第２利用側熱交換器（84）で冷媒が吸収すべき熱量）に応じた適切な値に設定することが可能となる。
【００５３】
このように、本発明では、第１圧縮機部（111）だけでは第１利用側熱交換器（74）において必要となる冷媒の流量を確保できない場合に、調節弁（48）の開度を調節することによって、第１利用側熱交換器（74）を流れる冷媒の流量を、第１利用側熱交換器（74）における冷却負荷に応じた値に設定することが可能となる。また、本発明では、第２圧縮機部（112）だけでは第２利用側熱交換器（84）において必要となる冷媒の流量を確保できない場合に、調節弁（48）の開度を調節することによって、第２利用側熱交換器（84）を流れる冷媒の流量を、第２利用側熱交換器（84）における冷却負荷に応じた値に設定することが可能となる。従って、本発明によれば、冷凍装置（10）の冷却能力を適切に制御することができ、冷凍装置（10）の使い勝手を向上させることができる。
【００５４】
上記第２の発明において、冷凍装置（10）は、第１利用側熱交換器（74）及び第２利用側熱交換器（84）が蒸発器として機能する第１冷却運転を実行可能である。そして、第１冷却運転中に第１圧縮機部（111）及び第２圧縮機部（112）の運転容量が基準容量を下回る場合、制御器（120）は、上記調節弁（48）を全閉状態に保ち、第１圧縮機部（111）の運転容量を第１吸入配管（32）の冷媒圧力に基づいて調節し、第２圧縮機部（112）の運転容量を第２吸入配管（34）の冷媒圧力に基づいて調節する。このため、第１利用側熱交換器（74）における冷却負荷を第１圧縮機部（111）だけで処理することができ、第２利用側熱交換器（84）における冷却負荷を第２圧縮機部（112）だけで処理することができる場合に、第１圧縮機部（111）及び第２圧縮機部（112）の運転容量を適切に制御することができる。
【００５５】
また、第２の発明の制御器（120）は、第２吸入配管（34）の冷媒圧力が第１吸入配管（32）の冷媒圧力よりも高くなるように、第１圧縮機部（111）及び第２圧縮機部（112）の運転容量を制御する。従って、この発明によれば、第２利用側熱交換器（84）における冷媒の蒸発温度を第１利用側熱交換器（74）における冷媒の蒸発温度よりも高く設定できる。
【００５６】
上記第３の発明の制御器（120）は、第１冷却運転中に第１圧縮機部（111）の運転容量が基準容量を下回って第２圧縮機部（112）の運転容量が基準容量以上である場合に、調節弁（48）の開度と第１圧縮機部（111）の運転容量とを調節する所定の動作を行う。このため、第２利用側熱交換器（84）における冷却負荷の一部を、運転容量が基準容量を下回っている第１圧縮機部（111）によって処理することができる。従って、この発明によれば、第１利用側熱交換器（74）における冷却負荷と、第２利用側熱交換器（84）における冷却負荷とを、第１圧縮機部（111）及び第２圧縮機部（112）を用いて確実に処理できる。
【００５７】
上記第４の発明の制御器（120）は、第１冷却運転中に第１圧縮機部（111）及び第２圧縮機部（112）の運転容量が所定の基準容量以上である場合に、第１吸入配管（32）の冷媒圧力が第１目標低圧となるように調節弁（48）の開度を調節する。このため、第１圧縮機部（111）が第１吸入配管（32）から吸入できる冷媒の流量を確保でき、第１吸入配管（32）の冷媒圧力の上昇を抑えることができる。従って、この発明によれば、第１利用側熱交換器（74）における冷媒の蒸発温度の上昇を抑えることができる。
【００５８】
上記第５の発明において、冷凍装置（10）は、第１利用側熱交換器（74）が休止して第２利用側熱交換器（84）が蒸発器として機能する第２冷却運転を実行可能である。そして、第２冷却運転中に第２圧縮機部（112）の運転容量が基準容量を下回る場合、制御器（120）は、調節弁（48）を全閉状態に保ち、第２吸入配管（34）の冷媒圧力が第２目標低圧となるように第２圧縮機部（112）の運転容量を調節する。従って、この発明によれば、第２圧縮機部（112）の運転容量を、第２利用側熱交換器（84）における冷却負荷に応じて適切に調節することができる。
【００５９】
ここで、冷凍装置（10）では、第１利用側熱交換器（74）が動作を再開したことを示す信号が制御器（120）へ入力されない場合がある。もし、この場合において、第１利用側熱交換器（74）の休止中に第１吸入配管（32）の冷媒圧力を第１目標低圧と異なる圧力にするための動作を制御器（120）が行うと、第１利用側熱交換器（74）が動作を再開した後も、第１吸入配管（32）の冷媒圧力が第１目標低圧と異なる圧力に保たれてしまい、第１利用側熱交換器（74）において対象物を充分に冷却できなくなる。
【００６０】
これに対し、上記第６の発明によれば、第１利用側熱交換器（74）が休止する第２冷却運転中に調節弁（48）が開いている状態においても、第１吸入配管（32）の冷媒圧力を第１目標低圧に保つことができる。従って、この発明によれば、第１利用側熱交換器（74）が動作を再開したことを示す信号が制御器（120）へ入力されない場合であっても、第１利用側熱交換器（74）が動作を再開した後に対象物を確実に冷却することができる。
【００６１】
上記第７の発明の制御器（120）は、第２冷却運転中に第１圧縮機部（111）及び第２圧縮機部（112）の運転容量が所定の基準容量以上である場合に、第１吸入配管（32）の冷媒圧力が第１目標低圧となるように調節弁（48）の開度を調節する。このため、この場合も第１吸入配管（32）の冷媒圧力を第１目標低圧に保つことができ、第１利用側熱交換器（74）が動作を再開した後に対象物を確実に冷却することができる。
【００６２】
上記第８の発明において、冷凍装置（10）は、第１利用側熱交換器（74）が蒸発器として機能して第２利用側熱交換器（84）が休止する第３冷却運転を実行可能である。そして、第３冷却運転中に第１圧縮機部（111）の運転容量が基準容量を下回る場合、制御器（120）は、調節弁（48）を全閉状態に保ち、第１吸入配管（32）の冷媒圧力が第１目標低圧となるように第１圧縮機部（111）の運転容量を調節する。従って、この発明によれば、第１圧縮機部（111）の運転容量を、第１利用側熱交換器（74）における冷却負荷に応じて適切に調節することができる。
【００６３】
上記第９の発明の制御器（120）は、第３冷却運転中に第１圧縮機部（111）の運転容量が基準容量以上である場合に、調節弁（48）を全開状態に保ち、第１圧縮機部（111）及び第２圧縮機部（112）の運転容量とを調節する。このため、第１利用側熱交換器（74）における冷却負荷の一部を、運転容量が基準容量以上となっている第１圧縮機部（111）だけでなく、第２圧縮機部（112）によっても処理することができる。従って、この発明によれば、第１利用側熱交換器（74）における冷却負荷を、第１圧縮機部（111）及び第２圧縮機部（112）を用いて確実に処理できる。
【００６４】
上記第１０の発明において、冷凍装置（10）は、熱源側熱交換器（26）及び第２利用側熱交換器（84）が凝縮器として機能し、第１利用側熱交換器（74）が蒸発器として機能する第１併存運転を実行可能である。そして、第１併存運転中に第１圧縮機部（111）の運転容量が基準容量を下回る場合、制御器（120）は、第１吸入配管（32）の冷媒圧力が目標低圧となるように第１圧縮機部（111）の運転容量を調節する。このため、第１利用側熱交換器（74）における冷媒の蒸発温度を、目標低圧に対応する飽和温度に保つことができ、第１利用側熱交換器（74）において対象物を確実に冷却できる。
【００６５】
上記第１１の発明の制御器（120）は、第１併存運転中に第１圧縮機部（111）の運転容量が基準容量以上である場合に、調節弁（48）を全開状態に保ち、第１吸入配管（32）の冷媒圧力が目標低圧となるように第１圧縮機部（111）及び第２圧縮機部（112）の運転容量を調節する。このため、第１利用側熱交換器（74）における冷却負荷を第１圧縮機部（111）と第２圧縮機部（112）の両方によって処理することができ、第１利用側熱交換器（74）において得られる冷却能力を充分に確保できる。
【００６６】
上記第１２の発明において、冷凍装置（10）は、第２利用側熱交換器（84）が凝縮器として機能し、第１利用側熱交換器（74）が蒸発器として機能する第２併存運転を実行可能である。そして、第２併存運転中に第１圧縮機部（111）の運転容量が基準容量を下回る場合、制御器（120）は、第１吸入配管（32）の冷媒圧力が目標低圧となるように第１圧縮機部（111）の運転容量を調節する。このため、第１利用側熱交換器（74）における冷媒の蒸発温度を、目標低圧に対応する飽和温度に保つことができ、第１利用側熱交換器（74）において対象物を確実に冷却できる。
【００６７】
上記第１３の発明の制御器（120）は、第２併存運転中に第１圧縮機部（111）の運転容量が基準容量以上である場合に、調節弁（48）を全開状態に保ち、第１吸入配管（32）の冷媒圧力が目標低圧となるように第１圧縮機部（111）及び第２圧縮機部（112）の運転容量を調節する。このため、第１利用側熱交換器（74）における冷却負荷を第１圧縮機部（111）と第２圧縮機部（112）の両方によって処理することができ、第１利用側熱交換器（74）において得られる冷却能力を充分に確保できる。
【００６８】
上記第１４の発明において、冷凍装置（10）は、第２利用側熱交換器（84）が凝縮器として機能し、熱源側熱交換器（26）及び第１利用側熱交換器（74）が蒸発器として機能する第３併存運転を実行可能である。そして、第３併存運転中に第１圧縮機部（111）の運転容量が基準容量を下回る場合、制御器（120）は、第１吸入配管（32）の冷媒圧力が目標低圧となるように第１圧縮機部（111）の運転容量を調節する。このため、第１利用側熱交換器（74）における冷媒の蒸発温度を、目標低圧に対応する飽和温度に保つことができ、第１利用側熱交換器（74）において対象物を確実に冷却できる。
【００６９】
上記第１５の発明の制御器（120）は、第３併存運転中に第１圧縮機部（111）の運転容量が基準容量以上である場合に、調節弁（48）を全開状態に保ち、第１吸入配管（32）の冷媒圧力が目標低圧となるように第１圧縮機部（111）及び第２圧縮機部（112）の運転容量を調節する。このため、第１利用側熱交換器（74）における冷却負荷を第１圧縮機部（111）と第２圧縮機部（112）の両方によって処理することができ、第１利用側熱交換器（74）において得られる冷却能力を充分に確保できる。
【００７０】
上記第１６の発明において、冷凍装置（10）は、第２利用側熱交換器（84）が凝縮器として機能し、熱源側熱交換器（26）が蒸発器として機能する加熱運転を実行可能である。そして、加熱運転中に第２圧縮機部（112）の運転容量が基準容量を下回る場合、制御器（120）は、第２利用側熱交換器（84）における冷媒の凝縮温度が目標温度となるように第２圧縮機部（112）の運転容量を調節する。このため、第２利用側熱交換器（84）における冷媒の凝縮温度を目標温度に保つことができ、第２利用側熱交換器（84）において対象物を確実に加熱できる。
【００７１】
上記第１７の発明の制御器（120）は、加熱運転中に第２圧縮機部（112）の運転容量が基準容量以上である場合に、調節弁（48）を全開状態に保ち、第２利用側熱交換器（84）における冷媒の凝縮温度が目標温度となるように第１圧縮機部（111）及び第２圧縮機部（112）の運転容量を調節する。このため、第２利用側熱交換器（84）における加熱負荷を第１圧縮機部（111）と第２圧縮機部（112）の両方によって処理することができ、第２利用側熱交換器（84）において得られる加熱能力を充分に確保できる。
【図面の簡単な説明】
【００７２】
【図１】図１は、実施形態１の冷凍装置の構成を示す配管系統図である。
【図２】図２は、実施形態１の冷凍装置の構成を示す配管系統図であって、第１冷却運転中の冷媒の流れを示すものである。
【図３】図３は、実施形態１の冷凍装置の構成を示す配管系統図であって、第２冷却運転中の冷媒の流れを示すものである。
【図４】図４は、実施形態１の冷凍装置の構成を示す配管系統図であって、第３冷却運転中の冷媒の流れを示すものである。
【図５】図５は、実施形態１の冷凍装置の構成を示す配管系統図であって、第１併存運転中の冷媒の流れを示すものである。
【図６】図６は、実施形態１の冷凍装置の構成を示す配管系統図であって、第２併存運転中の冷媒の流れを示すものである。
【図７】図７は、実施形態１の冷凍装置の構成を示す配管系統図であって、第３併存運転中の冷媒の流れを示すものである。
【図８】図８は、実施形態１の冷凍装置の構成を示す配管系統図であって、暖房運転中の冷媒の流れを示すものである。
【図９】図９は、実施形態１の制御器が冷却・冷房運転中に行う動作を示すフロー図である。
【図１０】図１０は、実施形態１の制御器が第１冷却運転中に行う第１制御動作を示すフロー図である。
【図１１】図１１は、実施形態１の制御器が第２冷却運転中に行う第２制御動作を示すフロー図である。
【図１２】図１２は、実施形態１の制御器が冷却・暖房房運転中に行う動作を示すフロー図である。
【図１３】図１３は、実施形態１の制御器が第１併存運転中に行う動作を示すフロー図である。
【図１４】図１４は、実施形態１の制御器が第２併存運転中に行う動作を示すフロー図である。
【図１５】図１５は、実施形態１の変形例の制御器が第１冷却運転中に行う第１制御動作を示すフロー図である。
【図１６】図１６は、実施形態２の制御器が冷却・冷房運転中に行う動作を示すフロー図である。
【図１７】図１７は、実施形態２の制御器が第１冷却運転中に行う第１制御動作を示すフロー図である。
【図１８】図１８は、実施形態２の制御器が第２冷却運転中に行う第１制御動作を示すフロー図である。
【図１９】図１９は、実施形態２の制御器が冷却・暖房房運転中に行う動作を示すフロー図である。
【図２０】図２０は、実施形態２の制御器が第１併存運転中に行う動作を示すフロー図である。
【図２１】図２１は、実施形態２の制御器が第２併存運転中に行う動作を示すフロー図である。
【図２２】図２２は、その他の実施形態の冷凍装置の構成を示す配管系統図である。
【発明を実施するための形態】
【００７３】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。
【００７４】
《発明の実施形態１》
本発明の実施形態１について説明する。本実施形態の冷凍装置（10）は、例えばコンビニエンスストアに設置される。そして、この冷凍装置（10）は、食品等を陳列するための冷蔵ショーケースの庫内の冷却と、店内の空調とを同時に行うように構成される。
【００７５】
〈冷凍装置の全体構成〉
図１に示すように、冷凍装置（10）は、室外ユニット（20）と、冷蔵ショーケースである冷蔵ユニット（70）と、空調ユニット（80）と、制御器（120）とを備えている。室外ユニット（20）には、室外回路（21）が設けられている。冷蔵ユニット（70）には、冷蔵回路（71）が設けられている。空調ユニット（80）には、空調回路（81）が設けられている。
【００７６】
室外回路（21）には、冷蔵側液閉鎖弁（12）、冷蔵側ガス閉鎖弁（13）、空調側液閉鎖弁（14）、及び空調側ガス閉鎖弁（15）が設けられている。冷蔵側液閉鎖弁（12）は、第１連絡配管（16）を介して冷蔵回路（71）の液側端部と接続する。冷蔵側ガス閉鎖弁（13）は、第２連絡配管（17）を介して冷蔵回路（71）のガス側端部と接続する。空調側液閉鎖弁（14）は、第３連絡配管（18）を介して空調回路（81）の液側端部と接続する。空調側ガス閉鎖弁（15）は、第４連絡配管（19）を介して空調回路（81）のガス側端部と接続する。
【００７７】
冷凍装置（10）では、冷蔵回路（71）及び空調回路（81）を室外回路（21）に連絡配管（16〜19）を介して接続することによって、冷媒回路（11）が構成される。冷媒回路（11）は、充填された冷媒を循環させることによって、蒸気圧縮式の冷凍サイクルを行う。
【００７８】
なお、本実施形態の冷凍装置（10）には、複数の冷蔵ユニット（70）が設けられていてもよい。この場合、冷媒回路（11）では、複数の冷蔵回路（71）が互いに並列に接続される。つまり、複数の冷蔵回路（71）は、それぞれの液側端部が第１連絡配管（16）に接続され、それぞれのガス側端部が第２連絡配管（17）に接続される。
【００７９】
また、本実施形態の冷凍装置（10）には、複数の空調ユニット（80）が設けられていてもよい。この場合、冷媒回路（11）では、複数の空調回路（81）が互いに並列に接続される。つまり、複数の空調回路（81）は、それぞれの液側端部が第３連絡配管（18）に接続され、それぞれのガス側端部が第４連絡配管（19）に接続される。
【００８０】
〈室外ユニット〉
室外ユニット（20）は、室外回路（21）と室外ファン（23）とを備えている。室外回路（21）には、第１圧縮機部（111）を構成する第１圧縮機（24）と、第２圧縮機部（112）を構成する第２圧縮機（25）と、熱源側熱交換器である室外熱交換器（26）と、第１四方切換弁（27）と、第２四方切換弁（28）と、受液器（29）と、過冷却ユニット（50）とが接続されている。本実施形態の第１圧縮機部（111）及び第２圧縮機部（112）は、それぞれが一台の圧縮機（24,25）によって構成されている。
【００８１】
第１圧縮機（24）及び第２圧縮機（25）は、いずれもスクロール型の全密閉型圧縮機である。図示しないが、これら圧縮機（24,25）では、スクロール型流体機械である圧縮機構と、圧縮機構を駆動する電動機とが、密閉容器状のケーシングに収容されている。
【００８２】
第１圧縮機（24）には、第１吐出配管（31）と第１吸入配管（32）とが接続されている。第１吐出配管（31）は、第１圧縮機（24）の吐出部を後述する第１四方切換弁（27）の第１ポートに接続する。第１吸入配管（32）は、第１圧縮機（24）の吸入部を冷蔵側ガス閉鎖弁（13）に接続する。
【００８３】
第２圧縮機（25）には、第２吐出配管（33）と第２吸入配管（34）とが接続される。第２吐出配管（33）は、第２圧縮機（25）の吐出部を後述する第１四方切換弁（27）の第１ポートに接続する。第２吸入配管（34）は、第２圧縮機（25）の吸入部を後述する第２四方切換弁（28）の第２ポートに接続する。
【００８４】
各圧縮機（24,25）の電動機には、インバータを介して交流が供給される。インバータの出力周波数（即ち、圧縮機の運転周波数）を変更すると、各圧縮機（24,25）の電動機の回転速度が変化し、その結果、圧縮機（24,25）の運転容量が変化する。具体的には、圧縮機（24,25）の運転周波数を上昇させると圧縮機（24,25）の運転容量が増加し、圧縮機（24,25）の運転周波数を低下させると圧縮機（24,25）の運転容量が減少する。そして、第１圧縮機（24）の運転容量が変化すると第１圧縮機部（111）の運転容量が変化し、第２圧縮機（25）の運転容量が変化すると第２圧縮機部（112）の運転容量が変化する。
【００８５】
室外熱交換器（26）は、フィン・アンド・チューブ型の熱交換器である。室外熱交換器（26）の近傍には、室外熱交換器（26）へ室外空気を供給するための室外ファン（23）が設置される。室外熱交換器（26）は、冷媒回路（11）の冷媒を室外空気と熱交換させる。
【００８６】
第１四方切換弁（27）は、第１吐出配管（31）及び第２吐出配管（33）に接続する第１ポートと、第２四方切換弁（28）の第４ポートに接続する第２ポートと、室外熱交換器（26）のガス側端部に接続する第３ポートと、空調熱交換器（84）のガス側端部に接続する第４ポートとを有している。第２四方切換弁（28）は、第１吐出配管（31）及び第２吐出配管（33）に接続する第１ポートと、第２吸入配管（34）に接続する第２ポートと、封止された第３ポートと、第１四方切換弁（27）の第２ポートに接続する第４ポートとを有している。
【００８７】
各四方切換弁（27,28）は、第１ポートと第３ポートが連通し且つ第２ポートと第４ポートが連通する第１状態（図１の実線で示す状態）と、第１ポートと第４ポートが連通し且つ第２ポートと第３ポートが連通する第２状態（図１の破線で示す状態）とにそれぞれ切り換え可能に構成される。第１四方切換弁（27）及び第２四方切換弁（28）は、第２吸入配管（34）が空調熱交換器（84）に連通する状態と該第２吸入配管（34）が室外熱交換器（26）に連通する状態とを切り換えるための切換機構（110）を構成している。
【００８８】
受液器（29）は、その内部に余剰の冷媒が貯留される密閉容器である。受液器（29）には、第１液管（41）と、第２液管（42）と、ガス抜き管（36）とが接続される。
【００８９】
第１液管（41）は、一端が室外熱交換器（26）の液側端部に接続し、他端が受液器（29）の頂部に接続する。第２液管（42）は、一端が受液器（29）の底部に接続し、他端が過冷却熱交換器（51）に接続する。ガス抜き管（36）は、一端が受液器（29）の頂部に接続し、他端がインジェクション回路（55）の中継管（57）に接続する。
【００９０】
過冷却ユニット（50）は、冷蔵ユニット（70）へ供給される冷媒を冷却するものである。過冷却ユニット（50）は、過冷却熱交換器（51）とインジェクション回路（55）とを有している。過冷却熱交換器（51）は、冷却側流路（52）と蒸発側流路（53）とを有する。冷却側流路（52）は、流入端が第２液管（42）に接続し、流出端が冷蔵側液管（37）に接続する。蒸発側流路（53）は、インジェクション回路（55）の一部を構成する。過冷却熱交換器（51）では、冷却側流路（52）を流れる高圧の液冷媒と、蒸発側流路（53）を流れる中間圧の冷媒とが熱交換する。
【００９１】
インジェクション回路（55）は、中間圧の冷媒を各圧縮機（24,25）へ導入するものである。インジェクション回路（55）は、流入部が冷蔵側液管（37）に接続し、流出部は２つに分岐して各圧縮機（24,25）の中間圧部に接続する。具体的に、インジェクション回路（55）は、蒸発側流路（53）の流入部に接続する１本の流入管（56）と、蒸発側流路（53）の流出部に接続する１本の中継管（57）と、該中継管（57）の流出部から分岐する２本の導入管（58,59）とを有している。
【００９２】
流入管（56）には、高圧の液冷媒を中間圧まで減圧する減圧弁（60）が接続される。減圧弁（60）は、開度可変の電子膨張弁である。２本の導入管（58,59）は、第１圧縮機（24）の圧縮途中の圧縮室に接続する第１導入管（58）と、第２圧縮機（25）の圧縮途中の圧縮室に接続する第２導入管（59）とで構成される。第１導入管（58）には、第１インジェクション弁（61）が設けられ、第２導入管（59）には、第２インジェクション弁（62）が設けられる。各インジェクション弁（61,62）は、開度可変の電子膨張弁であり、各圧縮機（24,25）へ導入する中間圧の冷媒の流量を調節する。
【００９３】
室外回路（21）には、冷蔵側液管（37）、空調側液管（38）、第３液管（43）、第４液管（44）、及び第５液管（45）が設けられている。冷蔵側液管（37）は、一端が冷蔵側液閉鎖弁（12）に接続し、他端が過冷却熱交換器（51）の冷却側流路（52）に接続する。空調側液管（38）は、一端が空調側液閉鎖弁（14）に接続し、他端が第２液管（42）に接続する。空調側液管（38）には、液側膨張弁（49）が設けられる。第３液管（43）は、一端が空調側液管（38）に接続し、他端が第１液管（41）に接続する。第４液管（44）は、一端が冷蔵側液管（37）に接続し、他端が第１液管（41）に接続する。第４液管（44）には、室外膨張弁（39）が設けられる。液側膨張弁（49）および室外膨張弁（39）は、それぞれが開度可変の電子膨張弁である。第５液管（45）は、一端が第１液管（41）に接続し、他端が第４液管（44）に接続する。
【００９４】
室外回路（21）には、六つの逆止弁（CV1〜CV5）が設けられる。第１逆止弁（CV1）は第１吐出配管（31）に、第２逆止弁（CV2）は第２吐出配管（33）に、第３逆止弁（CV3）は第１液管（41）に、第４逆止弁（CV4）は第３液管（43）に、第５逆止弁（CV5）は第４液管（44）に、第６逆止弁（CV6）は第５液管（45）に、それぞれ設けられる。これらの逆止弁（CV1〜CV6）は、図１に示す矢印の方向への冷媒の流れを許容し、その逆の方向への冷媒の流れを禁止する。
【００９５】
室外回路（21）には、二つの電磁弁（SV1,SV2）が設けられる。第１電磁弁（SV1）は、第１液管（41）における第３逆止弁（CV3）の上流側に設けられる。第２電磁弁（SV2）は、ガス抜き管（36）に設けられる。これらの電磁弁（SV1,SV2）は、開状態と閉状態に切り換わる開閉弁である。
【００９６】
室外回路（21）には、接続用配管（47）と流量調節弁（48）とが設けられる。接続用配管（47）は、一端が第１吸入配管（32）に接続し、他端が第２吸入配管（34）に接続する。流量調節弁（48）は、接続用配管（47）に設けられる。流量調節弁（48）は、開度可変の電子膨張弁である。つまり、流量調節弁（48）は、弁体を駆動するためのパルスモータを備えており、弁体を移動させることによってその開度が変化する。
【００９７】
室外回路（21）には、各種のセンサが設けられる。
【００９８】
第１吐出配管（31）には、第１圧縮機（24）の吐出冷媒の温度を検出する第１吐出温度センサ（90）と、第１吐出配管（31）内の冷媒圧力を検出する吐出圧力センサ（91）とが設けられる。
【００９９】
第２吐出配管（33）には、第２圧縮機（25）の吐出冷媒の温度を検出する第２吐出温度センサ（92）が設けられる。
【０１００】
第１吸入配管（32）には、第１圧縮機（24）の吸入冷媒の温度を検出する第１吸入温度センサ（93）と、第１吸入配管（32）内の冷媒圧力ＬＰ１を検出する第１吸入圧力センサ（94）とが設けられる。第１吸入配管（32）では、第１吸入配管（32）に対する接続用配管（47）の接続位置の下流側に第１吸入温度センサ（93）が配置され、その上流側に第１吸入圧力センサ（94）が配置されている。
【０１０１】
第２吸入配管（34）には、第２吸入配管（34）を流れる冷媒の温度を検出する第２吸入温度センサ（95）と、第２吸入配管（34）内の冷媒圧力ＬＰ２を検出する第２吸入圧力センサ（96）とが設けられる。第２吸入配管（34）では、第２吸入配管（34）に対する接続用配管（47）の接続位置の上流側に第２吸入温度センサ（95）及び第２吸入圧力センサ（96）が配置されている。
【０１０２】
室外熱交換器（26）の液側端部には、冷媒の温度を検出する室外側冷媒温度センサ（97）が設けられる。インジェクション回路（55）の中継管（57）には、冷媒の温度を検出する中間側冷媒温度センサ（98）と、冷媒の圧力を検出する中間側冷媒圧力センサ（99）とが設けられる。
【０１０３】
また、室外ユニット（20）には、外気温度センサ（100）が設けられる。外気温度センサ（100）は、室外熱交換器（26）の近傍に配置され、室外熱交換器（26）へ供給される室外空気の温度を検出する。
【０１０４】
〈冷蔵ユニット〉
冷蔵ユニット（70）は、食品等を陳列するための冷蔵ショーケースである。冷蔵ユニット（70）は、冷蔵回路（71）と庫内ファン（73）とを備えている。
【０１０５】
冷蔵回路（71）には、ガス側端部から液側端部に向かって順に、第１利用側熱交換器である冷蔵熱交換器（74）と、庫内膨張弁（75）と、第３電磁弁（SV3）とが設けられる。冷蔵熱交換器（74）は、フィン・アンド・チューブ型の熱交換器である。庫内膨張弁（75）は、感温式の膨張弁である。庫内膨張弁（75）の開度は、冷蔵熱交換器（74）から流出する冷媒の過熱度に応じて調節される、第３電磁弁（SV3）は、開状態と閉状態に切り換わる開閉弁である。
【０１０６】
庫内ファン（73）は、冷蔵熱交換器（74）の近傍に配置される。庫内ファン（73）は、冷蔵ユニット（70）の庫内の空気を冷蔵熱交換器（74）へ供給する。冷蔵熱交換器（74）は、冷媒回路（11）の冷媒を、庫内ファン（73）によって供給された庫内空気と熱交換させる。
【０１０７】
冷蔵ユニット（70）には、庫内温度センサ（101）が設けられる。庫内温度センサ（101）は、冷蔵熱交換器（74）の近傍に配置され、冷蔵熱交換器（74）へ供給される庫内空気の温度を検出する。
【０１０８】
冷蔵ユニット（70）は、庫内温度センサ（101）の検出値に基づいて、起動と停止を行う。具体的に、冷蔵ユニット（70）は、庫内温度センサ（101）の検出値Ｔsが庫内の設定温度Ｔssを所定値（例えば、０.５℃）だけ上回ると（Ｔss＋０.５＜Ｔs）、第３電磁弁（SV3）を開いて庫内ファン（73）を作動させ、庫内を冷却するための動作を行う。一方、冷蔵ユニット（70）は、庫内温度センサ（101）の検出値Ｔsが庫内の設定温度Ｔssを所定値（例えば、０.５℃）だけ下回ると（Ｔs＜Ｔss−０.５）、第３電磁弁（SV3）を閉じて庫内ファン（73）を停止させ、庫内を冷却するための動作を停止する。
【０１０９】
このように、冷蔵ユニット（70）の運転状態は、庫内を冷却するための動作を行うサーモＯＮ状態と、庫内を冷却するための動作を休止するサーモＯＦＦ状態とに切り換わる。冷蔵ユニット（70）は、その運転状態がサーモＯＮ状態とサーモＯＦＦ状態のどちらであるかを示すサーモ信号を制御器（120）に対して出力する場合と、サーモ信号を制御器（120）に対して出力しない場合とがある。
【０１１０】
〈空調ユニット〉
空調ユニット（80）は、空調回路（81）と室内ファン（83）とを備えている。
【０１１１】
空調回路（81）には、ガス側端部から液側端部に向かって順に、第２利用側熱交換器である空調熱交換器（84）と、室内膨張弁（85）とが設けられる。空調熱交換器（84）は、フィン・アンド・チューブ型の熱交換器である。室内膨張弁（85）は、開度可変の電子膨張弁である。
【０１１２】
室内ファン（83）は、空調熱交換器（84）の近傍に配置される。室内ファン（83）は、店内の室内空気を空調熱交換器（84）へ供給する。空調熱交換器（84）は、冷媒回路（11）の冷媒を、室内ファン（83）によって供給された室内空気と熱交換させる。
【０１１３】
空調ユニット（80）には、室内温度センサ（102）が設けられる。室内温度センサ（102）は、空調熱交換器（84）の近傍に配置され、空調熱交換器（84）へ供給される室内空気の温度を検出する。
【０１１４】
空調ユニット（80）は、室内温度センサ（102）の検出値に基づいて、起動と停止を行う。
【０１１５】
冷房運転中において、空調ユニット（80）は、室内温度センサ（102）の検出値Ｔrが庫内の設定温度Ｔrsを所定値（例えば、０.５℃）だけ上回ると（Ｔrs＋０.５＜Ｔr）、室内膨張弁（85）を開いて室内ファン（83）を作動させ、室内を冷房するための動作を行う。一方、空調ユニット（80）は、室内温度センサ（102）の検出値Ｔrが庫内の設定温度Ｔrsを所定値（例えば、０.５℃）だけ下回ると（Ｔr＜Ｔrs−０.５）、室内膨張弁（85）を閉じて室内ファン（83）を停止させ、室内を冷房するための動作を停止する。
【０１１６】
暖房運転中において、空調ユニット（80）は、室内温度センサ（102）の検出値Ｔrが庫内の設定温度Ｔrsを所定値（例えば、０.５℃）だけ下回ると（Ｔr＜Ｔrs−０.５）、室内膨張弁（85）を開いて室内ファン（83）を作動させ、室内を暖房するための動作を行う。一方、空調ユニット（80）は、室内温度センサ（102）の検出値Ｔrが庫内の設定温度Ｔrsを所定値（例えば、０.５℃）だけ上回ると（Ｔrs＋０.５＜Ｔr）、室内膨張弁（85）を閉じて室内ファン（83）を停止させ、室内を暖房するための動作を停止する。
【０１１７】
このように、空調ユニット（80）の運転状態は、室内を冷房または暖房するための動作を行うサーモＯＮ状態と、室内を冷房または暖房するための動作を休止するサーモＯＦＦ状態とに切り換わる。空調ユニット（80）は、その運転状態がサーモＯＮ状態とサーモＯＦＦ状態のどちらであるかを示すサーモ信号を、制御器（120）に対して出力する。
【０１１８】
〈制御器〉
制御器（120）は、上述した各種のセンサの検出値に応じて、各種の機器（圧縮機、各種の弁、各種のファン等）を制御する。例えば、制御器（120）は、四方切換弁（27,28）を操作することによって冷凍装置（10）の運転状態を変更する動作と、第１圧縮機部（111）及び第２圧縮機部（112）の運転容量を調節する動作と、流量調節弁（48）の開度を調節する動作とを行う。制御器（120）が行う動作については、後述する。
【０１１９】
−運転動作−
冷凍装置（10）の運転動作について説明する。冷凍装置（10）は、冷蔵・冷房運転と冷蔵・暖房運転とを選択的に行う。
【０１２０】
〈冷蔵・冷房運転〉
冷蔵・冷房運転は、冷蔵ショーケースである冷蔵ユニット（70）の庫内を冷却し、空調ユニット（80）によって室内を冷房するための運転である。冷蔵・冷房運転中の冷凍装置（10）は、第１冷却運転と第２冷却運転と第３冷却運転とを選択的に行う。
【０１２１】
冷蔵・冷房運転では、第１四方切換弁（27）が第１状態に、第２四方切換弁（28）が第１状態に、第１電磁弁（SV1）が開放状態にそれぞれ設定される。また、冷蔵・冷房運転では、室外膨張弁（39）が全閉状態に、液側膨張弁（49）が全開状態に設定され、流量調節弁（48）、減圧弁（60）、第１インジェクション弁（61）、第２インジェクション弁（62）、及び庫内膨張弁（75）がそれぞれ所定開度に調節される。また、冷蔵・冷房運転では、室外ファン（23）、庫内ファン（73）、及び室内ファン（83）が作動する。
【０１２２】
〔第１冷却運転〕
図２に示すように、第１冷却運転中の冷凍装置（10）では、冷蔵ユニット（70）と空調ユニット（80）の両方がサーモＯＮ状態となる。第１冷却運転では、第３電磁弁（SV3）が開放状態に設定され、室内膨張弁（85）が所定開度に調節される。そして、第１冷却運転中の冷媒回路（11）では、室外熱交換器（26）が凝縮器として機能し、冷蔵熱交換器（74）が蒸発器として機能し、空調熱交換器（84）が蒸発器として機能する。
【０１２３】
第１圧縮機（24）及び第２圧縮機（25）で圧縮された冷媒は、第１四方切換弁（27）を通過し、室外熱交換器（26）を流れる。室外熱交換器（26）では、冷媒が室外空気へ放熱して凝縮する。室外熱交換器（26）で凝縮した冷媒は、第１液管（41）、受液器（29）、第２液管（42）を順に通過する。第２液管（42）の高圧液冷媒は、一部が過冷却熱交換器（51）の冷却側流路（52）を流れ、残りは空調側液管（38）を流れる。
【０１２４】
過冷却熱交換器（51）では、冷却側流路（52）を流れる高圧液冷媒と、蒸発側流路（53）を流れる中間圧冷媒とが熱交換する。この結果、冷却側流路（52）の高圧液冷媒が冷却され、過冷却度が大きくなる。過冷却熱交換器（51）で冷却された高圧液冷媒は、冷蔵側液管（37）に流出する。冷蔵側液管（37）の液冷媒は、一部が流入管（56）に分流し、減圧弁（60）で中間圧まで減圧された後、過冷却熱交換器（51）の蒸発側流路（53）を流れる。蒸発側流路（53）の中間圧冷媒は、冷却側流路（52）の高圧液冷媒から吸熱して蒸発する。蒸発側流路（53）で蒸発した冷媒は、中継管（57）を経由して、各導入管（58,59）に分流し、各圧縮機（24,25）の中間圧部に吸入される。
【０１２５】
冷蔵側液管（37）から第１連絡配管（16）に流出した冷媒は、庫内膨張弁（75）で減圧された後、冷蔵熱交換器（74）を流れる。冷蔵熱交換器（74）では、冷媒が庫内の空気から吸熱して蒸発する。この結果、冷蔵ユニット（70）の庫内空気が冷却される。冷蔵熱交換器（74）の冷媒の蒸発温度（例えば−５℃）は、後述する空調熱交換器（84）の冷媒の蒸発温度（例えば５℃）よりも低く設定される。冷蔵熱交換器（74）で蒸発した冷媒は、第２連絡配管（17）、第１吸入配管（32）を順に通過し、第１圧縮機（24）に吸入されて圧縮される。
【０１２６】
第２液管（42）から空調側液管（38）に流出した冷媒は、第３連絡配管（18）を通過し、室内膨張弁（85）で減圧された後、空調熱交換器（84）を流れる。空調熱交換器（84）では、冷媒が室内空気から吸熱して蒸発する。この結果、室内空気が冷却される。空調熱交換器（84）で蒸発した冷媒は、第４連絡配管（19）、第２吸入配管（34）を順に通過し、第２圧縮機（25）に吸入されて圧縮される。
【０１２７】
〔第２冷却運転〕
図３に示すように、第２冷却運転中の冷凍装置（10）では、冷蔵ユニット（70）がサーモＯＦＦ状態となり、空調ユニット（80）がサーモＯＮ状態となる。第２冷却運転では、第３電磁弁（SV3）が閉鎖状態に設定され、室内膨張弁（85）が所定開度に調節される。そして、第２冷却運転中の冷媒回路（11）では、室外熱交換器（26）が凝縮器として機能し、冷蔵熱交換器（74）が休止し、空調熱交換器（84）が蒸発器として機能する。
【０１２８】
ここでは、第２冷却運転中の冷凍装置（10）の動作について、第１冷却運転中の動作と異なる点を説明する。第２冷却運転中には、原則として、第１圧縮機（24）が停止し、第２圧縮機（25）が作動する。ただし、空調ユニット（80）における冷房負荷を第２圧縮機（25）だけで処理しきれない場合は、流量調節弁（48）が開かれ、第１圧縮機（24）と第２圧縮機（25）の両方が作動する。また、第２冷却運転中には、受液器（29）から流出した冷媒の全てが、空調側液管（38）と第３連絡配管（18）を順に通って空調回路（81）へ流入する。
【０１２９】
〔第３冷却運転〕
図４に示すように、第３冷却運転中の冷凍装置（10）では、冷蔵ユニット（70）がサーモＯＮ状態となり、空調ユニット（80）がサーモＯＦＦ状態となる。第３冷却運転では、第３電磁弁（SV3）が開放状態に設定され、室内膨張弁（85）が全閉状態に設定される。そして、第３冷却運転中の冷媒回路（11）では、室外熱交換器（26）が凝縮器として機能し、冷蔵熱交換器（74）が蒸発器として機能し、空調熱交換器（84）が休止する。
【０１３０】
ここでは、第３冷却運転中の冷凍装置（10）の動作について、第１冷却運転中の動作と異なる点を説明する。第３冷却運転中には、原則として、第１圧縮機（24）が作動し、第２圧縮機（25）が停止する。ただし、冷蔵ユニット（70）における冷却負荷を第１圧縮機（24）だけで処理しきれない場合は、流量調節弁（48）が開かれ、第１圧縮機（24）と第２圧縮機（25）の両方が作動する。また、第３冷却運転中には、受液器（29）から流出した冷媒の全てが過冷却熱交換器（51）の冷却側流路（52）へ流入し、冷却側流路（52）を通過する間に冷却された冷媒の一部が第１連絡配管（16）を通って冷蔵回路（71）へ流入する。
【０１３１】
〈冷蔵・暖房運転〉
冷蔵・暖房運転は、冷蔵ショーケースである冷蔵ユニット（70）の庫内を冷却し、空調ユニット（80）によって室内を暖房するための運転である。冷蔵・暖房運転中の冷凍装置（10）は、第１併存運転と第２併存運転と第３併存運転と暖房運転とを選択的に行う。
【０１３２】
〔第１併存運転（熱余剰）〕
第１併存運転は、空調ユニット（80）における暖房負荷に対して冷蔵ユニット（70）における冷却負荷が大きい場合に行われる。
【０１３３】
図５に示すように、第１併存運転中の冷凍装置（10）では、冷蔵ユニット（70）と空調ユニット（80）の両方がサーモＯＮ状態となる。第１併存運転では、第１四方切換弁（27）が第２状態に、第２四方切換弁（28）が第２状態に、第１電磁弁（SV1）が開放状態に、第３電磁弁（SV3）が開放状態にそれぞれ設定される。また、第１併存運転では、室外膨張弁（39）、液側膨張弁（49）、及び第２インジェクション弁（62）がそれぞれ全閉状態に設定され、室内膨張弁（85）が全開状態に設定され、減圧弁（60）、第１インジェクション弁（61）、及び庫内膨張弁（75）がそれぞれ所定開度に調節される。また、第１併存運転では、室内ファン（83）、室外ファン（23）、及び庫内ファン（73）がそれぞれ運転状態となる。
【０１３４】
第１併存運転中には、原則として、第１圧縮機（24）が作動し、第２圧縮機（25）が停止する。ただし、冷蔵ユニット（70）における冷却負荷を第１圧縮機（24）だけで処理しきれない場合は、流量調節弁（48）が開かれ、第１圧縮機（24）と第２圧縮機（25）の両方が作動する。ここでは、第１圧縮機（24）だけが作動する場合を例に、冷凍装置（10）の動作を説明する。
【０１３５】
第１併存運転中の冷媒回路（11）では、室外熱交換器（26）及び空調熱交換器（84）が凝縮器として機能し、冷蔵熱交換器（74）が蒸発器として機能する。第１圧縮機（24）で圧縮された冷媒は、一部が第１四方切換弁（27）及び第４連絡配管（19）を通過し、空調熱交換器（84）を流れ、残りは第２四方切換弁（28）を通過し、室外熱交換器（26）を流れる。空調熱交換器（84）では、冷媒が室内空気へ放熱して凝縮する。この結果、室内空気が加熱される。空調熱交換器（84）で凝縮した冷媒は、第３連絡配管（18）、第３液管（43）を順に通過し、第１液管（41）を流れる。また、室外熱交換器（26）では、冷媒が室外空気へ放熱して凝縮する。室外熱交換器（26）で放熱した冷媒は、第１液管（41）を流れる。
【０１３６】
第１液管（41）で合流した冷媒は、受液器（29）、第２液管（42）を順に通過し、過冷却熱交換器（51）の冷却側流路（52）を流れる。過冷却熱交換器（51）では、冷却側流路（52）を流れる高圧液冷媒が冷却される一方、蒸発側流路（53）で蒸発した冷媒は、第１圧縮機（24）の中間圧部に吸入される。過冷却熱交換器（51）で冷却された冷媒は、冷蔵側液管（37）及び第１連絡配管（16）を順に通過し、庫内膨張弁（75）で減圧された後、冷蔵熱交換器（74）を流れる。冷蔵熱交換器（74）では、冷媒が庫内の空気から吸熱して蒸発する。この結果、冷蔵ユニット（70）の庫内空気が冷却される。冷蔵熱交換器（74）で蒸発した冷媒は、第２連絡配管（17）、第１吸入配管（32）を順に通過し、第１圧縮機（24）に吸入されて圧縮される。
【０１３７】
〔第２併存運転（１００％熱回収）〕
第２併存運転は、空調ユニット（80）における暖房負荷と冷蔵ユニット（70）における冷却負荷が均衡する場合に行われる。
【０１３８】
図６に示すように、第２併存運転中の冷凍装置（10）では、冷蔵ユニット（70）と空調ユニット（80）の両方がサーモＯＮ状態となる。第２併存運転では、第１四方切換弁（27）が第２状態に、第２四方切換弁（28）が第１状態に、第１電磁弁（SV1）が閉鎖状態に、第３電磁弁（SV3）が開放状態にそれぞれ設定される。また、第２併存運転では、室外膨張弁（39）、液側膨張弁（49）、及び第２インジェクション弁（62）がそれぞれ全閉状態に設定され、室内膨張弁（85）が全開状態に設定され、減圧弁（60）、第１インジェクション弁（61）、及び庫内膨張弁（75）がそれぞれ所定開度に調節される。また、第１運転では、室内ファン（83）、及び庫内ファン（73）がそれぞれ運転状態となる。
【０１３９】
第２併存運転中には、原則として、第１圧縮機（24）が作動し、第２圧縮機（25）が停止する。ただし、冷蔵ユニット（70）における冷却負荷を第１圧縮機（24）だけで処理しきれない場合は、流量調節弁（48）が開かれ、第１圧縮機（24）と第２圧縮機（25）の両方が作動する。ここでは、第１圧縮機（24）だけが作動する場合を例に、冷凍装置（10）の動作を説明する。
【０１４０】
第２併存運転中の冷媒回路（11）では、室外熱交換器（26）が休止し、空調熱交換器（84）が凝縮器として機能し、冷蔵熱交換器（74）が蒸発器として機能する。第１圧縮機（24）で圧縮された冷媒は、第１四方切換弁（27）及び第４連絡配管（19）を順に通過し、空調熱交換器（84）を流れる。空調熱交換器（84）では、冷媒が室内空気へ放熱して凝縮する。この結果、室内空気が加熱される。空調熱交換器（84）で凝縮した冷媒は、第３連絡配管（18）、第３液管（43）、受液器（29）、第２液管（42）を順に通過し、過冷却熱交換器（51）の冷却側流路（52）を流れる。
【０１４１】
過冷却熱交換器（51）では、冷却側流路（52）を流れる高圧液冷媒が冷却される一方、蒸発側流路（53）で蒸発した冷媒は、第１圧縮機（24）の中間圧部に吸入される。過冷却熱交換器（51）で冷却された冷媒は、冷蔵側液管（37）及び第１連絡配管（16）を順に通過し、庫内膨張弁（75）で減圧された後、冷蔵熱交換器（74）を流れる。冷蔵熱交換器（74）では、冷媒が庫内の空気から吸熱して蒸発する。この結果、冷蔵ユニット（70）の庫内空気が冷却される。冷蔵熱交換器（74）で蒸発した冷媒は、第２連絡配管（17）、第１吸入配管（32）を順に通過し、第１圧縮機（24）に吸入されて圧縮される。
【０１４２】
〔第３併存運転（熱不足）〕
第３併存運転は、空調ユニット（80）における暖房負荷に対して冷蔵ユニット（70）における冷却負荷が小さい場合に行われる。
【０１４３】
図７に示すように、第３併存運転中の冷凍装置（10）では、冷蔵ユニット（70）と空調ユニット（80）の両方がサーモＯＮ状態となる。第３併存運転では、第１四方切換弁（27）が第２状態に、第２四方切換弁（28）が第１状態に、第１電磁弁（SV1）が閉鎖状態に、第３電磁弁（SV3）が開放状態にそれぞれ設定される。また、第３併存運転では、液側膨張弁（49）が全閉状態に設定され、室内膨張弁（85）が全開状態に設定され、室外膨張弁（39）、流量調節弁（48）、減圧弁（60）、第１インジェクション弁（61）、第２インジェクション弁（62）、及び庫内膨張弁（75）がそれぞれ所定開度に調節される。また、第３併存運転では、第１圧縮機（24）、第２圧縮機（25）、室内ファン（83）、室外ファン（23）、及び庫内ファン（73）がそれぞれ運転状態となる。
【０１４４】
第３併存運転中の冷媒回路（11）では、空調熱交換器（84）が凝縮器となり、室外熱交換器（26）及び冷蔵熱交換器（74）が蒸発器となる冷凍サイクルが行われる。第１圧縮機（24）及び第２圧縮機（25）で圧縮された冷媒は、第４連絡配管（19）を通過し、空調熱交換器（84）を流れる。空調熱交換器（84）では、冷媒が室内空気へ放熱して凝縮する。この結果、室内空気が加熱される。空調熱交換器（84）で凝縮した冷媒は、第３連絡配管（18）、第３液管（43）、受液器（29）、第２液管（42）を順に通過し、過冷却熱交換器（51）の冷却側流路（52）を流れる。
【０１４５】
過冷却熱交換器（51）では、冷却側流路（52）を流れる高圧液冷媒が冷却される一方、蒸発側流路（53）で蒸発した冷媒は、第１圧縮機（24）及び第２圧縮機（25）の中間圧部に吸入される。過冷却熱交換器（51）で冷却された冷媒は、冷蔵側液管（37）と第４液管（44）とに分流する。
【０１４６】
冷蔵側液管（37）へ流出した冷媒は、第１連絡配管（16）を通過し、庫内膨張弁（75）で減圧された後、冷蔵熱交換器（74）を流れる。冷蔵熱交換器（74）では、冷媒が庫内の空気から吸熱して蒸発する。この結果、冷蔵ユニット（70）の庫内空気が冷却される。冷蔵熱交換器（74）で蒸発した冷媒は、第２連絡配管（17）、第１吸入配管（32）を順に通過し、第１圧縮機（24）に吸入されて圧縮される。
【０１４７】
第４液管（44）へ流出した冷媒は、室外膨張弁（39）で減圧された後、室外熱交換器（26）を流れる。室外熱交換器（26）では、冷媒が室外空気へ放熱して凝縮する。室外熱交換器（26）で凝縮した冷媒は、第１四方切換弁（27）、第２四方切換弁（28）、及び第２吸入配管（34）を順に通過し、第２圧縮機（25）に吸入されて圧縮される。
【０１４８】
〔暖房運転〕
図８に示すように、暖房運転中の冷凍装置（10）では、冷蔵ユニット（70）がサーモＯＦＦ状態となり、空調ユニット（80）がサーモＯＮ状態となる。この暖房運転は、第１併存運転中、第２併存運転中、又は第３併存運転中に冷蔵ユニット（70）がサーモＯＦＦ状態となった場合に行われる。
【０１４９】
第１併存運転中には、原則として、第１圧縮機（24）が停止し、第２圧縮機（25）が作動する。ただし、空調ユニット（80）における暖房負荷を第２圧縮機（25）だけで処理しきれない場合は、流量調節弁（48）が開かれ、第１圧縮機（24）と第２圧縮機（25）の両方が作動する。
【０１５０】
ここでは、第２圧縮機（25）だけが作動する場合を例に、冷凍装置（10）の動作を説明する。また、ここでは、暖房運転中の冷凍装置（10）の動作について、第３併存運転中の動作と異なる点を説明する。暖房運転中において、受液器（29）から流出した冷媒は、その全てが第４液管（44）を通って室外熱交換器（26）へ流入する。室外熱交換器（26）において蒸発した冷媒は、第３併存運転中と同様に、第２圧縮機（25）へ吸入される。
【０１５１】
−制御器の動作−
制御器（120）は、冷凍装置（10）の運転を制御する。ここでは、冷蔵・冷房運転中に制御器（120）が行う動作と、冷蔵・暖房運転中に制御器（120）が行う動作とを説明する。
【０１５２】
なお、本実施形態の制御器（120）では、第１圧縮機部（111）の基準容量が第１圧縮機部（111）の最大容量に設定され、第２圧縮機部（112）の基準容量が第２圧縮機部（112）の最大容量に設定される。本実施形態において、第１圧縮機部（111）の運転容量は、第１圧縮機（24）の運転周波数が上限値であるときに最大容量となり、第２圧縮機部（112）の運転容量は、第２圧縮機（25）の運転周波数が上限値であるときに最大容量となる。
【０１５３】
〈冷蔵・冷房運転中の動作〉
冷蔵・冷房運転中に制御器（120）が行う動作について、図９〜図１１のフロー図を参照しながら説明する。
【０１５４】
図９に示すように、制御器（120）は、ステップST01において、“冷蔵ユニット（70）がサーモＯＮ状態であり、且つ空調ユニット（80）がサーモＯＮ状態である”という条件の成否を判断する。この条件が成立する場合、冷凍装置（10）は、第１冷却運転を行っている。そこで、制御器（120）は、ステップST02において、第１冷却運転用の第１制御動作を行う。第１冷却運転中に制御器（120）が行う第１制御動作については、後述する。
【０１５５】
ここで、制御器（120）は、空調ユニット（80）がサーモＯＮ状態であるか否かを、空調ユニット（80）から受信したサーモ信号に基づいて判断する。一方、冷蔵ユニット（70）は、制御器（120）に対してサーモ信号を出力する場合と出力しない場合とがある。冷蔵ユニット（70）がサーモ信号を出力する場合、制御器（120）は、冷蔵ユニット（70）がサーモＯＮ状態であるか否かを、冷蔵ユニット（70）から受信したサーモ信号に基づいて判断する。一方、冷蔵ユニット（70）がサーモ信号を出力しない場合、制御器（120）は、冷蔵ユニット（70）がサーモＯＮ状態であるか否かを、第１吐出配管（31）内の冷媒圧力ＬＰ１（即ち、第１吸入圧力センサ（94）の検出値）に基づいて判断する。具体的に、制御器（120）は、圧力ＬＰ１が次第に低下して所定の下限値（例えば、０.１ＭＰａ）を下回ると、冷蔵ユニット（70）がサーモＯＮ状態からサーモＯＦＦ状態に切り換わったと判断する。また、圧力ＬＰ１が下限値未満から次第に上昇して所定の基準値（例えば、０.４８ＭＰａ）を超えると、冷蔵ユニット（70）がサーモＯＦＦ状態からサーモＯＮ状態に切り換わったと判断する。
【０１５６】
なお、冷凍装置（10）には、冷蔵ユニット（70）と空調ユニット（80）が複数ずつ設けられている場合がある。この場合、制御器（120）は、少なくとも一つの冷蔵ユニット（70）がサーモＯＮ状態であり、且つ少なくとも一つの空調ユニット（80）がサーモＯＮ状態である場合に、ステップST01の条件が成立したと判断する。
【０１５７】
ステップST01の条件が成立しない場合、制御器（120）は、ステップST03において、“冷蔵ユニット（70）がサーモＯＦＦ状態であり、且つ空調ユニット（80）がサーモＯＮ状態である”という条件の成否を判断する。この条件が成立する場合、冷凍装置（10）は、第２冷却運転を行っている。そこで、この条件が成立する場合、制御器（120）は、第２冷却運転用の制御動作を行う。
【０１５８】
なお、冷凍装置（10）には、冷蔵ユニット（70）と空調ユニット（80）が複数ずつ設けられている場合がある。この場合、制御器（120）は、全ての冷蔵ユニット（70）がサーモＯＦＦ状態であり、且つ少なくとも一つの空調ユニット（80）がサーモＯＮ状態である場合に、ステップST03の条件が成立したと判断する。
【０１５９】
第２冷却運転中に制御器（120）が行う制御動作について説明する。上述したように、第２冷却運転中には、原則として、第１圧縮機（24）によって構成された第１圧縮機部（111）が停止し、第２圧縮機（25）によって構成された第２圧縮機部（112）が作動する。そこで、制御器（120）は、ステップST04において、第２圧縮機部（112）の運転容量（即ち、第２圧縮機（25）の運転周波数）を、第２吸入配管（34）内の冷媒圧力ＬＰ２（即ち、第２吸入圧力センサ（96）の検出値）が第２目標低圧（本実施形態では、０.８５ＭＰａ）となるように調節する。具体的に、制御器（120）は、圧力ＬＰ２が第２目標低圧よりも高い場合は、第２圧縮機部（112）の運転容量を増加させ（即ち、第２圧縮機（25）の運転周波数を上昇させ）、圧力ＬＰ２が第２目標低圧よりも低い場合は、第２圧縮機部（112）の運転容量を減少させる（即ち、第２圧縮機（25）の運転周波数を低下させる）。
【０１６０】
次のステップST05において、制御器（120）は、“第２圧縮機部（112）の運転容量が最大容量である”という条件の成否を判断する。この条件が成立する場合は、空調ユニット（80）の冷房負荷を第２圧縮機部（112）だけで処理しきれない状況となっている。そこで、制御器（120）は、ステップST06において、第２制御動作を行う。この第２制御動作については、後述する。一方、この条件が成立しない場合は、空調ユニット（80）の冷房負荷を第２圧縮機部（112）だけで処理できる状況である。そこで、制御器（120）は、ステップST07において、流量調節弁（48）を全閉状態とし、圧力ＬＰ２に基づく第２圧縮機部（112）の運転容量の調節を行う。
【０１６１】
ステップST03の条件が成立しない場合、制御器（120）は、ステップST08において、“冷蔵ユニット（70）がサーモＯＮ状態であり、且つ空調ユニット（80）がサーモＯＦＦ状態である”という条件の成否を判断する。この条件が成立する場合、冷凍装置（10）は、第３冷却運転を行っている。そこで、この条件が成立する場合、制御器（120）は、第３冷却運転用の制御動作を行う。
【０１６２】
なお、冷凍装置（10）には、冷蔵ユニット（70）と空調ユニット（80）が複数ずつ設けられている場合がある。この場合、制御器（120）は、少なくとも一つの冷蔵ユニット（70）がサーモＯＮ状態であり、且つ全ての空調ユニット（80）がサーモＯＦＦ状態である場合に、ステップST08の条件が成立したと判断する。
【０１６３】
第３冷却運転中に制御器（120）が行う制御動作について説明する。上述したように、第３冷却運転中には、原則として、第１圧縮機（24）が作動し、第２圧縮機（25）が停止する。そこで、制御器（120）は、ステップST09において、第１圧縮機部（111）の運転容量（即ち、第１圧縮機（24）の運転周波数）を、第１吸入配管（32）内の冷媒圧力ＬＰ１が第１目標低圧（本実施形態では、０.４８ＭＰａ）となるように調節する。具体的に、制御器（120）は、圧力ＬＰ１が第１目標低圧よりも高い場合は、第１圧縮機部（111）の運転容量を増加させ（即ち、第１圧縮機（24）の運転周波数を上昇させ）、圧力ＬＰ１が第１目標低圧よりも低い場合は、第１圧縮機部（111）の運転容量を減少させる（即ち、第１圧縮機（24）の運転周波数を低下させる）。
【０１６４】
次のステップST10において、制御器（120）は、“第１圧縮機部（111）の運転容量が最大容量である”という条件の成否を判断する。この条件が成立する場合は、冷蔵ユニット（70）の冷却負荷を第１圧縮機部（111）だけで処理しきれない状況となっている。
【０１６５】
そこで、ステップST10の条件が成立する場合、制御器（120）は、ステップST11において、第２圧縮機部（112）の運転容量（即ち、第２圧縮機（25）の運転周波数）を、第１吸入配管（32）内の冷媒圧力ＬＰ１が第１目標低圧（０.４８ＭＰａ）となるように調節する。つまり、制御器（120）は、第１圧縮機部（111）及び第２圧縮機部（112）の運転容量を、圧力ＬＰ１が第１目標低圧となるように調節する。ただし、ステップST11では、第１圧縮機部（111）の運転容量が最大容量に達している。このため、ステップST11において、制御器（120）は、第１圧縮機部（111）の運転容量を最大容量に保ち、第２圧縮機部（112）の運転容量を圧力ＬＰ１が第１目標低圧となるように調節する。また、次のステップST12において、制御器（120）は、流量調節弁（48）を全開状態とする。
【０１６６】
制御器（120）がステップST11とステップST12の動作を行うと、冷蔵熱交換器（74）において蒸発した冷媒は、その一部が第２圧縮機部（112）へ吸入され、残りが第１圧縮機部（111）へ吸入される。従って、この状態では、冷蔵ユニット（70）の冷却負荷が第１圧縮機部（111）と第２圧縮機部（112）の両方によって処理される。このため、冷蔵ユニット（70）の冷却負荷を第１圧縮機部（111）だけで処理しきれない状況においても、冷蔵ユニット（70）の庫内温度を設定温度に保つことができる。
【０１６７】
一方、ステップST10の条件が成立しない場合は、冷蔵ユニット（70）の冷却負荷を第１圧縮機部（111）だけで処理できる状況である。そこで、制御器（120）は、ステップST13において、流量調節弁（48）を全閉状態とし、第１圧縮機部（111）の運転容量を第１吸入配管（32）内の冷媒圧力ＬＰ１が第１目標低圧（０.４８ＭＰａ）となるように調節する。。
【０１６８】
ステップST08の条件が成立しない場合は、冷蔵ユニット（70）と空調ユニット（80）の両方がサーモＯＦＦ状態となっている。そこで、この場合、制御器（120）は、ステップST14において流量調節弁（48）を全閉状態とし、ステップST15において第１圧縮機部（111）及び第２圧縮機部（112）を停止させる。つまり、ステップST15において、制御器（120）は、第１圧縮機（24）と第２圧縮機（25）の両方を停止させる。
【０１６９】
〔第１制御動作〕
上述したように、制御器（120）は、第１冷却運転中に第１制御動作を行う。ここでは、第１制御動作について、図１０を参照しながら説明する。
【０１７０】
第１制御動作は、冷蔵ユニット（70）と空調ユニット（80）の両方がサーモＯＮ状態である場合に行われる（図９を参照）。つまり、第１制御動作は、第１圧縮機部（111）と第２圧縮機部（112）の両方が作動している状況で行われる。
【０１７１】
ステップST21において、制御器（120）は、“第２圧縮機部（112）の運転容量が最大容量である”という条件の成否を判断する。この条件が成立しない場合は、空調ユニット（80）の冷房負荷を第２圧縮機部（112）だけで処理できる状況となっている。そこで、ステップST21の条件が成立しない場合、制御器（120）は、ステップST26において流量調節弁（48）を全閉状態とし、ステップST27において第１圧縮機部（111）及び第２圧縮機部（112）の運転容量を調節する。流量調節弁（48）が全閉状態である場合、第１圧縮機（24）は冷蔵熱交換器（74）において蒸発した冷媒だけを吸入し、第２圧縮機（25）は空調熱交換器（84）において蒸発した冷媒だけを吸入する。
【０１７２】
ステップST27において、制御器（120）は、第１圧縮機部（111）の運転容量を、第１吸入配管（32）内の冷媒圧力ＬＰ１が第１目標低圧（０.４８ＭＰａ）となるように調節する。つまり、制御器（120）は、圧力ＬＰ１が第１目標低圧よりも高い場合は、第１圧縮機部（111）の運転容量を増加させ、圧力ＬＰ１が第１目標低圧よりも低い場合は、第１圧縮機部（111）の運転容量を減少させる。
【０１７３】
また、ステップST27において、制御器（120）は、第２圧縮機部（112）の運転容量を、第２吸入配管（34）内の冷媒圧力ＬＰ２が第２目標低圧（０.８５ＭＰａ）となるように調節する。つまり、制御器（120）は、圧力ＬＰ２が第２目標低圧よりも高い場合は、第２圧縮機部（112）の運転容量を増加させ、圧力ＬＰ２が第２目標低圧よりも低い場合は、第２圧縮機部（112）の運転容量を減少させる。
【０１７４】
ステップST21の条件が成立する場合、制御器（120）は、ステップST22において、“第１圧縮機部（111）の運転容量が最大容量である”という条件の成否を判断する。
【０１７５】
ステップST22の条件が成立しない場合は、第２圧縮機部（112）の運転容量は最大容量であるが、第１圧縮機部（111）の運転容量は最大容量に達していない。つまり、この条件が成立しない場合は、冷蔵ユニット（70）の冷却負荷を第１圧縮機部（111）だけで処理できるが、空調ユニット（80）の冷房負荷を第２圧縮機部（112）だけで処理できない状況となっている。
【０１７６】
そこで、ステップST22の条件が成立しない場合、制御器（120）は、ステップST24において、流量調節弁（48）の開度を、第１吸入配管（32）内の冷媒圧力ＬＰ１が第１目標低圧（０.４８ＭＰａ）となるように調節する。また、制御器（120）は、次のステップST25において、第１圧縮機部（111）の運転容量を、第２吸入配管（34）内の冷媒圧力ＬＰ２が第２目標低圧（０.８５ＭＰａ）となるように調節する。
【０１７７】
第１圧縮機部（111）と第２圧縮機部（112）の両方が作動している状況において流量調節弁（48）が開いている場合、第２吸入配管（34）を流れる冷媒（即ち、空調熱交換器（84）において蒸発した冷媒）は、その一部が接続用配管（47）を通って第１圧縮機（24）へ吸入され、残りが第２圧縮機（25）へ吸入される。つまり、この場合、第１圧縮機（24）は、冷蔵熱交換器（74）において蒸発した冷媒の全部と空調熱交換器（84）において蒸発した冷媒の一部とを吸い込む一方、第２圧縮機（25）は、空調熱交換器（84）において蒸発した冷媒のうち接続用配管（47）へ流入しなかった分を吸い込む。従って、この場合は、冷蔵ユニット（70）の冷却負荷が第１圧縮機部（111）によって処理され、空調ユニット（80）の冷房負荷が第１圧縮機部（111）と第２圧縮機部（112）の両方によって処理される。
【０１７８】
ステップST24における制御器（120）の動作を詳しく説明する。第１吸入配管（32）内の冷媒圧力ＬＰ１が第１目標低圧（０.４８ＭＰａ）を上回っている場合、制御器（120）は、流量調節弁（48）の開度を縮小する。流量調節弁（48）の開度が小さくなると、接続用配管（47）から第１吸入配管（32）へ流入する冷媒の流量が減少し、圧力ＬＰ１が低下する。一方、圧力ＬＰ１が第１目標低圧を下回っている場合、制御器（120）は、流量調節弁（48）の開度を拡大する。流量調節弁（48）の開度が大きくなると、接続用配管（47）から第１吸入配管（32）へ流入する冷媒の流量が増加し、圧力ＬＰ１が上昇する。
【０１７９】
ステップST25における制御器（120）の動作を詳しく説明する。第２吸入配管（34）内の冷媒圧力ＬＰ２が第２目標低圧（０.８５ＭＰａ）を上回っている場合、制御器（120）は、第１圧縮機部（111）の運転容量を増加（即ち、第１圧縮機（24）の運転周波数を上昇）させる。第１圧縮機部（111）の運転容量が増加すると、第２吸入配管（34）から接続用配管（47）へ流入する冷媒の流量が増加し、圧力ＬＰ２が低下する。一方、圧力ＬＰ２が第２目標低圧を下回っている場合、制御器（120）は、第１圧縮機部（111）の運転容量を減少（即ち、第１圧縮機（24）の運転周波数を低下）させる。第１圧縮機部（111）の運転容量が減少すると、第２吸入配管（34）から接続用配管（47）へ流入する冷媒の流量が減少し、圧力ＬＰ２が上昇する。
【０１８０】
ステップST22の条件が成立する場合は、第１圧縮機部（111）の運転容量は最大容量であり、第２圧縮機部（112）の運転容量も最大容量である。つまり、この条件が成立する場合は、第１圧縮機部（111）及び第２圧縮機部（112）の運転容量を増やすことができない状況となっている。そこで、ステップST22の条件が成立する場合、制御器（120）は、ステップST23において、流量調節弁（48）の開度を、第１吸入配管（32）内の冷媒圧力ＬＰ１が第１目標低圧（０.４８ＭＰａ）となるように調節する。
【０１８１】
第１圧縮機部（111）及び第２圧縮機部（112）の運転容量が最大容量である状況において流量調節弁（48）が開いている場合、第２吸入配管（34）を流れる冷媒（即ち、空調熱交換器（84）において蒸発した冷媒）は、その一部が接続用配管（47）を通って第１圧縮機（24）へ吸入され、残りが第２圧縮機（25）へ吸入される。つまり、この場合、第１圧縮機（24）は、冷蔵熱交換器（74）において蒸発した冷媒の全部と、空調熱交換器（84）において蒸発した冷媒の一部とを吸い込む。この場合に圧力ＬＰ１が第１目標低圧を上回ると、制御器（120）は、流量調節弁（48）の開度を縮小する。流量調節弁（48）の開度が小さくなると、接続用配管（47）から第１吸入配管（32）へ流入する冷媒の流量が減少するため、圧力ＬＰ１が低下する。一方、この場合に圧力ＬＰ１が第１目標低圧を下回ると、制御器（120）は、流量調節弁（48）の開度を拡大する。流量調節弁（48）の開度が大きくなると、接続用配管（47）から第１吸入配管（32）へ流入する冷媒の流量が増加するため、圧力ＬＰ１が上昇する。
【０１８２】
〔第２制御動作〕
上述したように、制御器（120）は、第２冷却運転中に図９のステップST05の条件が成立すると、第２制御動作を行う。ここでは、第２制御動作について、図１１を参照しながら説明する。
【０１８３】
第２制御動作は、冷蔵ユニット（70）がサーモＯＦＦ状態で且つ空調ユニット（80）がサーモＯＮ状態であり、更には第２圧縮機部（112）の運転容量が既に最大容量に達している場合に行われる（図９を参照）。
【０１８４】
ステップST31において、制御器（120）は、冷蔵ユニット（70）がサーモ信号を出力するものなのか、サーモ信号を出力しないものなのかを判断する。冷蔵ユニット（70）がサーモ信号を出力するものである場合、制御器（120）は、冷蔵ユニット（70）から受信したサーモ信号に基づいて、冷蔵ユニット（70）がサーモＯＮ状態であるかサーモＯＦＦ状態であるかを判断できる。従って、サーモＯＦＦ状態であることを示すサーモ信号を冷蔵ユニット（70）が出力している場合は、第１吸入配管（32）内の冷媒圧力ＬＰ１が第１目標低圧（０.４８ＭＰａ）を上回っていても構わない。そこで、制御器（120）は、ステップST32において流量調節弁（48）を全開状態とする。また、制御器（120）は、ステップST33において、第１圧縮機部（111）の運転容量を、第２吸入配管（34）内の冷媒圧力ＬＰ２が第２目標低圧（０.８５ＭＰａ）となるように調節する。
【０１８５】
流量調節弁（48）が全開状態である場合、第１吸入配管（32）内の冷媒圧力ＬＰ１は、第２吸入配管（34）内の冷媒圧力ＬＰ２と実質的に等しくなる。そして、ステップST33において、制御器（120）は、第２圧縮機部（112）の運転容量を最大容量の保持する一方、、第１圧縮機部（111）の運転容量を圧力ＬＰ２が第２目標低圧（０.８５ＭＰａ）となるように調節する。この状態において、空調熱交換器（84）において蒸発した冷媒は、その一部が接続用配管（47）を通って第１圧縮機（24）へ吸入され、残りが第２圧縮機（25）へ吸入される。
【０１８６】
一方、冷蔵ユニット（70）がサーモ信号を出力しないものである場合、制御器（120）は、冷蔵ユニット（70）がサーモＯＦＦ状態からサーモＯＮ状態に切り換わったことを、第１吸入配管（32）内の冷媒圧力ＬＰ１に基づいて判断しなければならない。そのためには、冷蔵ユニット（70）がサーモＯＮ状態かサーモＯＦＦ状態かに拘わらず、制御器（120）は、圧力ＬＰ１を第１目標低圧に保つための動作を行う必要がある。そこで、この場合、制御器（120）は、ステップST34〜ST37の動作を行う。
【０１８７】
冷蔵ユニット（70）がサーモ信号を出力しないものである場合、制御器（120）は、ステップST34において、“第１圧縮機部（111）の運転容量が最大容量である”という条件の成否を判断する。
【０１８８】
ステップST34の条件が成立しない場合は、第２圧縮機部（112）の運転容量は最大容量であるが、第１圧縮機部（111）の運転容量は最大容量に達していない。つまり、この条件が成立しない場合は、冷蔵ユニット（70）の冷却負荷を第１圧縮機部（111）だけで処理できるが、空調ユニット（80）の冷房負荷を第２圧縮機部（112）だけで処理できない状況となっている。
【０１８９】
そこで、ステップST34の条件が成立しない場合、制御器（120）は、ステップST36において、流量調節弁（48）の開度を、第１吸入配管（32）内の冷媒圧力ＬＰ１が第１目標低圧（０.４８ＭＰａ）となるように調節する。このステップST36における制御器（120）の動作は、図１０のステップST24における制御器（120）の動作と同じである。また、制御器（120）は、次のステップST37において、第１圧縮機部（111）の運転容量を、第２吸入配管（34）内の冷媒圧力ＬＰ２が第２目標低圧（０.８５ＭＰａ）となるように調節する。このステップST37における制御器（120）の動作は、図１０のステップST25における制御器（120）の動作と同じである。そして、制御器（120）がステップST36及びステップST37の動作を行うと、冷蔵ユニット（70）の冷却負荷が第１圧縮機部（111）によって処理され、空調ユニット（80）の冷房負荷が第１圧縮機部（111）と第２圧縮機部（112）の両方によって処理される。
【０１９０】
ステップST34の条件が成立する場合は、第１圧縮機部（111）の運転容量は最大容量であり、第２圧縮機部（112）の運転容量も最大容量である。つまり、この条件が成立する場合は、第１圧縮機部（111）及び第２圧縮機部（112）の運転容量を増やすことができない状況となっている。そこで、ステップST34の条件が成立する場合、制御器（120）は、ステップST35において、流量調節弁（48）の開度を、第１吸入配管（32）内の冷媒圧力ＬＰ１が第１目標低圧（０.４８ＭＰａ）となるように調節する。このステップST35における制御器（120）の動作は、図１０のステップST23における制御器（120）の動作と同じである。
【０１９１】
〈冷蔵・暖房運転中の動作〉
冷蔵・暖房運転中に制御器（120）が行う動作について、図１２〜図１４のフロー図を参照しながら説明する。
【０１９２】
図１２に示すように、制御器（120）は、ステップST41において、“空調ユニット（80）がサーモＯＮ状態であり、且つ空調熱交換器（84）における冷媒の凝縮温度Ｔｃが６０℃未満である”という条件の成否を判断する。
【０１９３】
なお、冷凍装置（10）には、空調ユニット（80）が複数設けられている場合がある。この場合、制御器（120）は、少なくとも一つの空調ユニット（80）がサーモＯＮ状態であり、且つ冷媒の凝縮温度Ｔｃが６０℃未満である場合に、ステップST41の条件が成立したと判断する。また、制御器（120）は、吐出圧力センサ（91）の検出値に対応する冷媒の飽和温度を算出し、その値を空調熱交換器（84）における冷媒の凝縮温度Ｔｃとする。
【０１９４】
ステップST41の条件が成立しない場合、制御器（120）は、ステップST42において、第１併存運転用の制御動作を行う。この制御動作については、後述する。一方、ステップST41の条件が成立する場合、制御器（120）は、ステップST43において、“空調熱交換器（84）における冷媒の凝縮温度Ｔｃが５５℃未満である”という条件の成否を判断する。ステップST43の条件が成立しない場合、制御器（120）は、ステップST44において、第２併存運転用の制御動作を行う。この制御動作については、後述する。一方、ステップST43の条件が成立する場合、制御器（120）は、ステップST45の動作を行う。
【０１９５】
ステップST45において、制御器（120）は、“冷蔵ユニット（70）がサーモＯＮ状態である”という条件の成否を判断する。なお、冷凍装置（10）には、冷蔵ユニット（70）が複数設けられている場合がある。この場合、制御器（120）は、少なくとも一つの冷蔵ユニット（70）がサーモＯＮ状態である場合に、ステップST45の条件が成立したと判断する。
【０１９６】
ステップST45の条件が成立する場合は、冷凍装置（10）が第３併存運転（図７を参照）を行っている。上述したように、第３併存運転中には、第１圧縮機部（111）と第２圧縮機部（112）の両方が作動する。そして、ステップST45の条件が成立する場合、制御器（120）は、ステップST46において、“第１圧縮機部（111）の運転容量が最大容量である”という条件の成否を判断する。
【０１９７】
ステップST46の条件が成立しない場合は、冷蔵ユニット（70）の冷却負荷を第１圧縮機部（111）だけで処理できる状況である。そこで、ステップST46の条件が成立しない場合、制御器（120）は、ステップST49において、第１圧縮機部（111）の運転容量（即ち、第１圧縮機（24）の運転周波数）を、第１吸入配管（32）内の冷媒圧力ＬＰ１が目標低圧（本実施形態では、０.４８ＭＰａ）となるように調節する。また、次のステップST50において、制御器（120）は、流量調節弁（48）を全閉状態とする。また、次のステップST51において、制御器（120）は、第２圧縮機部（112）の運転容量（即ち、第２圧縮機（25）の運転周波数）を、空調熱交換器（84）における冷媒の凝縮温度Ｔｃが目標温度（本実施形態では、５５℃）となるように調節する。
【０１９８】
ステップST51の動作が終了した時点では、流量調節弁（48）を全閉状態となっている。このため、第１圧縮機（24）は、冷蔵熱交換器（74）において蒸発した冷媒だけを吸入し、第２圧縮機（25）は、室外熱交換器（26）において蒸発した冷媒だけを吸入する（図７を参照）。
【０１９９】
ステップST49における制御器（120）の動作を詳しく説明する。第１吸入配管（32）内の冷媒圧力ＬＰ１が目標低圧（０.４８ＭＰａ）を上回っている場合、制御器（120）は、圧力ＬＰ１を低下させるために、第１圧縮機部（111）の運転容量を増加させる。一方、圧力ＬＰ１が第１目標低圧（０.４８ＭＰａ）を下回っている場合、制御器（120）は、圧力ＬＰ１を上昇させるために、第１圧縮機部（111）の運転容量を減少させる。
【０２００】
ステップST51における制御器（120）の動作を詳しく説明する。空調熱交換器（84）における冷媒の凝縮温度Ｔｃが目標温度（５５℃）を上回っている場合、制御器（120）は、第２圧縮機部（112）の運転容量を減少させる。第２圧縮機部（112）の運転容量が減少すると、第１吐出配管（31）及び第２吐出配管（33）の冷媒圧力が低下し、冷媒の凝縮温度Ｔｃが低下する。一方、空調熱交換器（84）における冷媒の凝縮温度Ｔｃが目標温度（５５℃）を下回っている場合、制御器（120）は、第２圧縮機部（112）の運転容量を増加させる。第２圧縮機部（112）の運転容量が増加すると、第１吐出配管（31）及び第２吐出配管（33）の冷媒圧力が上昇し、冷媒の凝縮温度Ｔｃが上昇する。
【０２０１】
一方、ステップST46の条件が成立する場合は、冷蔵ユニット（70）の冷却負荷を第１圧縮機部（111）だけで処理しきれない状況となっている。
そこで、この場合、制御器（120）は、ステップST47において、第２圧縮機部（112）の運転容量を、第１吸入配管（32）内の冷媒圧力ＬＰ１が目標低圧（０.４８ＭＰａ）となるように調節する。また、次のステップST48において、制御器（120）は、流量調節弁（48）を全開状態とする。この場合に流量調節弁（48）が全開状態になると、第１吸入配管（32）を流れる冷媒の一部が接続用配管（47）を通って第２吸入配管（34）へ流入する。つまり、冷蔵熱交換器（74）において蒸発した冷媒は、その一部が第２圧縮機（25）へ吸入され、残りが第１圧縮機（24）へ吸入される。
【０２０２】
ステップST47における制御器（120）の動作を詳しく説明する。第１吸入配管（32）内の冷媒圧力ＬＰ１が目標低圧（０.４８ＭＰａ）を上回っている場合、制御器（120）は、第２圧縮機部（112）の運転容量を増加させる。第２圧縮機部（112）の運転容量が増加すると、第１吸入配管（32）から接続用配管（47）を通って第２圧縮機（25）へ吸入される冷媒の流量が増加し、圧力ＬＰ１が低下する。一方、圧力ＬＰ１が目標低圧を下回っている場合、制御器（120）は、第２圧縮機部（112）の運転容量を減少させる。第２圧縮機部（112）の運転容量が減少すると、第１吸入配管（32）から接続用配管（47）を通って第２圧縮機（25）へ吸入される冷媒の流量が減少し、圧力ＬＰ１が上昇する。
【０２０３】
制御器（120）がステップST47の動作を行うと、第１吸入配管（32）内の冷媒圧力ＬＰ１（即ち、冷蔵熱交換器（74）における冷媒の蒸発圧力）が目標低圧に保たれる。なお、制御器（120）がステップST48の動作を行った場合、空調熱交換器（84）における冷媒の凝縮温度Ｔｃは、成り行きとなる。
【０２０４】
制御器（120）がステップST47とステップST48の動作を行うと、冷蔵熱交換器（74）において蒸発した冷媒は、その一部が第２圧縮機部（112）へ吸入され、残りが第１圧縮機部（111）へ吸入される。従って、この状態では、冷蔵ユニット（70）の冷却負荷が第１圧縮機部（111）と第２圧縮機部（112）の両方によって処理される。このため、冷蔵ユニット（70）の冷却負荷を第１圧縮機部（111）だけで処理しきれない状況においても、冷蔵ユニット（70）の庫内温度を設定温度に保つことができる。
【０２０５】
ステップST45の条件が成立しない場合は、冷凍装置（10）が暖房運転（図８を参照）を行っている。上述したように、暖房運転中には、原則として、第１圧縮機部（111）が停止し、第２圧縮機部（112）が作動する。この場合、制御器（120）は、ステップST52において、“第２圧縮機部（112）の運転容量が最大容量である”という条件の成否を判断する。
【０２０６】
ステップST52の条件が成立しない場合は、空調ユニット（80）の暖房負荷を第２圧縮機部（112）だけで処理できる状況である。そこで、ステップST52の条件が成立しない場合、制御器（120）は、ステップST55において、第２圧縮機部（112）の運転容量を、空調熱交換器（84）における冷媒の凝縮温度Ｔｃが目標温度（５５℃）となるように調節する。このステップST55において制御器（120）が行う動作は、ステップST51において制御器（120）が行う動作と同じである。また、次のステップST56において、制御器（120）は、流量調節弁（48）を全閉状態とする。
【０２０７】
ステップST52の条件が成立する場合は、空調ユニット（80）の暖房負荷を第２圧縮機部（112）だけで処理しきれない状況となっている。そこで、この場合、制御器（120）は、ステップST53において、第１圧縮機部（111）の運転容量を、空調熱交換器（84）における冷媒の凝縮温度Ｔｃが目標温度（５５℃）となるように調節する。また、次のステップST54において、制御器（120）は、流量調節弁（48）を全開状態とする。この場合に流量調節弁（48）が全開状態になると、第２吸入配管（34）を流れる冷媒の一部が接続用配管（47）を通って第１吸入配管（32）へ流入する。つまり、室外熱交換器（26）において蒸発した冷媒は、その一部が第１圧縮機（24）へ吸入され、残りが第２圧縮機（25）へ吸入される。そして、制御器（120）がステップST53の動作を行うことによって、空調熱交換器（84）における冷媒の凝縮温度Ｔｃが目標温度（５５℃）に保たれる。
【０２０８】
ステップST53における制御器（120）の動作を詳しく説明する。空調熱交換器（84）における冷媒の凝縮温度Ｔｃが目標温度（５５℃）を上回っている場合、制御器（120）は、第１圧縮機部（111）の運転容量を減少させる。第１圧縮機部（111）の運転容量が減少すると、第１吐出配管（31）及び第２吐出配管（33）の冷媒圧力が低下し、冷媒の凝縮温度Ｔｃが低下する。一方、空調熱交換器（84）における冷媒の凝縮温度Ｔｃが目標温度（５５℃）を下回っている場合、制御器（120）は、第１圧縮機部（111）の運転容量を増加させる。第１圧縮機部（111）の運転容量が増加すると、第１吐出配管（31）及び第２吐出配管（33）の冷媒圧力が上昇し、冷媒の凝縮温度Ｔｃが上昇する。
【０２０９】
制御器（120）がステップST53とステップST54の動作を行うと、室外熱交換器（26）において蒸発した冷媒は、その一部が第１圧縮機部（111）へ吸入され、残りが第２圧縮機部（112）へ吸入される。従って、この状態では、空調ユニット（80）の暖房負荷が第１圧縮機部（111）と第２圧縮機部（112）の両方によって処理される。このため、空調ユニット（80）の暖房負荷を第２圧縮機部（112）だけで処理しきれない状況においても、空調ユニット（80）が設置された部屋の気温を設定温度に保つことができる。
【０２１０】
〔第１併存運転用の制御動作〕
冷凍装置（10）が第１併存運転を行っている場合に制御器（120）が行う制御動作について、図１３を参照しながら説明する。
【０２１１】
上述したように、第１併存運転中の冷凍装置（10）では、冷蔵ユニット（70）と空調ユニット（80）の両方がサーモＯＮ状態となり、第１圧縮機部（111）と第２圧縮機部（112）の両方が作動する（図５を参照）。
【０２１２】
ステップST61において、制御器（120）は、“冷蔵ユニット（70）がサーモＯＮ状態である”という条件の成否を判断する。なお、冷凍装置（10）には、冷蔵ユニット（70）が複数設けられている場合がある。この場合、制御器（120）は、少なくとも一つの冷蔵ユニット（70）がサーモＯＮ状態である場合に、ステップST61の条件が成立したと判断する。
【０２１３】
ステップST61の条件が成立する場合、制御器（120）は、ステップST62において、“第１圧縮機部（111）の運転容量が最大容量である”という条件の成否を判断する。
【０２１４】
ステップST62の条件が成立しない場合は、冷蔵ユニット（70）の冷却負荷を第１圧縮機部（111）だけで処理できる状況である。そこで、ステップST62の条件が成立しない場合、制御器（120）は、ステップST65において、第１圧縮機部（111）の運転容量を、第１吸入配管（32）内の冷媒圧力ＬＰ１が目標低圧（０.４８ＭＰａ）となるように調節する。このステップST65において制御器（120）が行う動作は、図１２のステップST49において制御器（120）が行う動作と同じである。また、次のステップST66において、制御器（120）は、流量調節弁（48）を全閉状態と全閉状態のどちらかにする。制御器（120）がステップST66の動作を行う場合は、第２四方切換弁（28）が第１状態となっている（図５を参照）。従って、この場合、流量調節弁（48）は、全閉状態と全閉状態のどちらであっても構わない。
【０２１５】
一方、ステップST62の条件が成立する場合は、冷蔵ユニット（70）の冷却負荷を第１圧縮機部（111）だけで処理しきれない状況となっている。そこで、この場合、制御器（120）は、ステップST63において、第２圧縮機部（112）の運転容量を、第１吸入配管（32）内の冷媒圧力ＬＰ１が目標低圧（０.４８ＭＰａ）となるように調節する。また、次のステップST64において、制御器（120）は、流量調節弁（48）を全開状態とする。この場合に流量調節弁（48）が全開状態になると、第１吸入配管（32）を流れる冷媒の一部が接続用配管（47）を通って第２吸入配管（34）へ流入する。つまり、冷蔵熱交換器（74）において蒸発した冷媒は、その一部が第２圧縮機（25）へ吸入され、残りが第１圧縮機（24）へ吸入される。なお、ステップST63の動作は、図１２のステップST47の動作と同じである。
【０２１６】
制御器（120）がステップST63の動作を行うと、第１吸入配管（32）内の冷媒圧力ＬＰ１（即ち、冷蔵熱交換器（74）における冷媒の蒸発圧力）が目標低圧に保たれる。なお、制御器（120）がステップST64の動作を行った場合、空調熱交換器（84）における冷媒の凝縮温度Ｔｃは、成り行きとなる。
【０２１７】
制御器（120）がステップST63とステップST64の動作を行うと、冷蔵熱交換器（74）において蒸発した冷媒は、その一部が第２圧縮機部（112）へ吸入され、残りが第１圧縮機部（111）へ吸入される。従って、この状態では、冷蔵ユニット（70）の冷却負荷が第１圧縮機部（111）と第２圧縮機部（112）の両方によって処理される。このため、冷蔵ユニット（70）の冷却負荷を第１圧縮機部（111）だけで処理しきれない状況においても、冷蔵ユニット（70）の庫内温度を設定温度に保つことができる。
【０２１８】
ステップST61の条件が成立しない場合は、冷蔵ユニット（70）がサーモＯＦＦ状態となっている。第１併存運転中に冷蔵ユニット（70）がサーモＯＦＦ状態になると、蒸発器として機能する熱交換器が存在しなくなるため、冷凍装置（10）の運転を継続できなくなる。そこで、ステップST61の条件が成立しない場合、制御器（120）は、ステップST67において流量調節弁（48）を全閉状態とする。また、制御器（120）は、次のステップST68において、冷凍装置（10）の運転を第１併存運転から暖房運転（図８を参照）に切り換え、空調ユニット（80）による室内の暖房を継続させる。
【０２１９】
〔第２併存運転用の制御動作〕
冷凍装置（10）が第２併存運転を行っている場合に制御器（120）が行う制御動作について、図１４を参照しながら説明する。
【０２２０】
上述したように、第２併存運転中の冷凍装置（10）では、冷蔵ユニット（70）と空調ユニット（80）の両方がサーモＯＮ状態となる。また、第２併存運転中には、原則として、第１圧縮機部（111）が作動して第２圧縮機部（112）が停止する（図６を参照）。
【０２２１】
ステップST71において、制御器（120）は、“冷蔵ユニット（70）がサーモＯＮ状態である”という条件の成否を判断する。なお、冷凍装置（10）には、冷蔵ユニット（70）が複数設けられている場合がある。この場合、制御器（120）は、少なくとも一つの冷蔵ユニット（70）がサーモＯＮ状態である場合に、ステップST71の条件が成立したと判断する。
【０２２２】
ステップST71の条件が成立する場合、制御器（120）は、ステップST72において、“第１圧縮機部（111）の運転容量が最大容量である”という条件の成否を判断する。
【０２２３】
ステップST72の条件が成立しない場合は、冷蔵ユニット（70）の冷却負荷を第１圧縮機部（111）だけで処理できる状況である。そこで、ステップST72の条件が成立しない場合、制御器（120）は、ステップST75において、第１圧縮機部（111）の運転容量を、第１吸入配管（32）内の冷媒圧力ＬＰ１が目標低圧（０.４８ＭＰａ）となるように調節する。このステップST75において制御器（120）が行う動作は、図１２のステップST49において制御器（120）が行う動作と同じである。また、次のステップST76において、制御器（120）は、流量調節弁（48）を全閉状態にする。
【０２２４】
一方、ステップST72の条件が成立する場合は、冷蔵ユニット（70）の冷却負荷を第１圧縮機部（111）だけで処理しきれない状況となっている。そこで、この場合、制御器（120）は、ステップST73において、第２圧縮機部（112）の運転容量を、第１吸入配管（32）内の冷媒圧力ＬＰ１が目標低圧（０.４８ＭＰａ）となるように調節する。また、次のステップST74において、制御器（120）は、流量調節弁（48）を全開状態とする。この場合に流量調節弁（48）が全開状態になると、第１吸入配管（32）を流れる冷媒の一部が接続用配管（47）を通って第２吸入配管（34）へ流入する。つまり、冷蔵熱交換器（74）において蒸発した冷媒は、その一部が第２圧縮機（25）へ吸入され、残りが第１圧縮機（24）へ吸入される。なお、ステップST73の動作は、図１２のステップST47の動作と同じである。
【０２２５】
制御器（120）がステップST73の動作を行うと、第１吸入配管（32）内の冷媒圧力ＬＰ１（即ち、冷蔵熱交換器（74）における冷媒の蒸発圧力）が目標低圧に保たれる。なお、制御器（120）がステップST74の動作を行った場合、空調熱交換器（84）における冷媒の凝縮温度Ｔｃは、成り行きとなる。
【０２２６】
制御器（120）がステップST73とステップST74の動作を行うと、冷蔵熱交換器（74）において蒸発した冷媒は、その一部が第２圧縮機部（112）へ吸入され、残りが第１圧縮機部（111）へ吸入される。従って、この状態では、冷蔵ユニット（70）の冷却負荷が第１圧縮機部（111）と第２圧縮機部（112）の両方によって処理される。このため、冷蔵ユニット（70）の冷却負荷を第１圧縮機部（111）だけで処理しきれない状況においても、冷蔵ユニット（70）の庫内温度を設定温度に保つことができる。
【０２２７】
ステップST71の条件が成立しない場合は、冷蔵ユニット（70）がサーモＯＦＦ状態となっている。第１併存運転中に冷蔵ユニット（70）がサーモＯＦＦ状態になると、蒸発器として機能する熱交換器が存在しなくなるため、冷凍装置（10）の運転を継続できなくなる。そこで、ステップST71の条件が成立しない場合、制御器（120）は、ステップST67において流量調節弁（48）を全閉状態とする。また、制御器（120）は、次のステップST78において、冷凍装置（10）の運転を第１併存運転から暖房運転（図８を参照）に切り換え、空調ユニット（80）による室内の暖房を継続させる。
【０２２８】
−実施形態１の効果−
本実施形態の冷凍装置（10）では、第１吸入配管（32）と第２吸入配管（34）を接続する接続用配管（47）が冷媒回路（11）に設けられ、開度可変の流量調節弁（48）が接続用配管（47）に設けられる。
【０２２９】
先ず、本実施形態の冷凍装置（10）は、冷蔵ユニット（70）の冷却負荷を処理する（具体的には、冷蔵ユニット（70）の庫内温度を設定温度に保つ）ために必要な冷媒の流量が、冷蔵熱交換器（74）から第１圧縮機部（111）が吸入できる冷媒の流量を上回る場合に、第１吸入配管（32）を流れる冷媒を第１圧縮機部（111）と第２圧縮機部（112）の両方へ吸入させることができる。
【０２３０】
第１吸入配管（32）を流れる冷媒が第１圧縮機部（111）と第２圧縮機部（112）の両方へ吸入される場合には、流量調節弁（48）の開度を変更することによって、接続用配管（47）を通って第２圧縮機部（112）へ吸入される冷媒の流量を調節することができる。そして、この場合は、流量調節弁（48）の開度を調節することによって、冷蔵熱交換器（74）を流れる冷媒の流量を、冷蔵ユニット（70）の冷却負荷に応じた適切な値に設定することが可能となる。
【０２３１】
次に、本実施形態の冷凍装置（10）は、空調ユニット（80）の冷房負荷を処理する（具体的には、空調ユニット（80）が設置された室内空気の気温を設定温度に保つ）ために必要な冷媒の流量が、空調熱交換器（84）から第２圧縮機部（112）が吸入できる冷媒の流量を上回る場合に、第２吸入配管（34）を流れる冷媒を第１圧縮機部（111）と第２圧縮機部（112）の両方へ吸入させることができる。
【０２３２】
第２吸入配管（34）を流れる冷媒が第１圧縮機部（111）と第２圧縮機部（112）の両方へ吸入される場合には、流量調節弁（48）の開度を変更することによって、接続用配管（47）を通って第１圧縮機部（111）へ吸入される冷媒の流量を調節することができる。そして、この場合は、流量調節弁（48）の開度を調節することによって、空調熱交換器（84）を流れる冷媒の流量を、空調ユニット（80）の冷房負荷に応じた適切な値に設定することが可能となる。
【０２３３】
更に、本実施形態の冷凍装置（10）は、空調ユニット（80）の暖房負荷を処理する（具体的には、空調ユニット（80）が設置された室内空気の気温を設定温度に保つ）ために必要な冷媒の流量が、第２圧縮機部（112）が室外熱交換器（26）から吸入して空調熱交換器（84）へ供給できる冷媒の流量を上回る場合に、第２吸入配管（34）を流れる冷媒を第１圧縮機部（111）と第２圧縮機部（112）の両方へ吸入させることができる。
【０２３４】
第２吸入配管（34）を流れる冷媒が第１圧縮機部（111）と第２圧縮機部（112）の両方へ吸入される場合には、流量調節弁（48）の開度を変更することによって、接続用配管（47）を通って第１圧縮機部（111）へ吸入される冷媒の流量を調節することができる。そして、この場合は、流量調節弁（48）の開度を調節することによって、空調熱交換器（84）を流れる冷媒の流量を、空調ユニット（80）の暖房負荷に応じた適切な値に設定することが可能となる。
【０２３５】
このように、本実施形態では、冷蔵ユニット（70）の冷却負荷を処理できない場合に、流量調節弁（48）の開度を調節することによって、冷蔵熱交換器（74）を流れる冷媒の流量を、冷蔵ユニット（70）の冷却負荷に応じた値に設定することが可能となる。また、本実施形態では、第２圧縮機部（112）だけでは空調ユニット（80）の冷房負荷または暖房負荷を処理できない場合に、流量調節弁（48）の開度を調節することによって、空調熱交換器（84）を流れる冷媒の流量を、空調ユニット（80）の冷房負荷または暖房負荷に応じた値に設定することが可能となる。従って、本実施形態によれば、冷凍装置（10）の冷却能力を適切に制御することができ、冷凍装置（10）の使い勝手を向上させることができる。
【０２３６】
−実施形態１の変形例−
本実施形態の制御器（120）は、第１制御動作として次のような動作を行うものであってもよい。ここでは、本変形例の制御器（120）が行う第１制御動作について、図１０に示す第１制御動作と異なる点を説明する。
【０２３７】
図１５に示すように、本変形例の制御器（120）は、図１０のステップST24の動作に代えてステップST24'の動作を行い、図１０のステップST25の動作に代えてステップST25'の動作を行う。
【０２３８】
ステップST22の条件が成立しない場合、本変形例の制御器（120）は、ステップST24'において、流量調節弁（48）の開度を、第２吸入配管（34）内の冷媒圧力ＬＰ２が第２目標低圧（０.８５ＭＰａ）となるように調節する。また、本変形例の制御器（120）は、次のステップST25'において、第１圧縮機部（111）の運転容量を、第１吸入配管（32）内の冷媒圧力ＬＰ１が第１目標低圧（０.４８ＭＰａ）となるように調節する。
【０２３９】
ステップST24'における制御器（120）の動作を詳しく説明する。第２吸入配管（34）内の冷媒圧力ＬＰ２が第２目標低圧を上回っている場合、制御器（120）は、流量調節弁（48）の開度を拡大する。流量調節弁（48）の開度が大きくなると、第２吸入配管（34）から接続用配管（47）へ流入する冷媒の流量が増加し、圧力ＬＰ２が低下する。一方、圧力ＬＰ２が第２目標低圧を下回っている場合、制御器（120）は、流量調節弁（48）の開度を縮小する。流量調節弁（48）の開度が小さくなると、第２吸入配管（34）から接続用配管（47）へ流入する冷媒の流量が減少し、圧力ＬＰ２が上昇する。
【０２４０】
ステップST25'における制御器（120）の動作を詳しく説明する。第１吸入配管（32）内の冷媒圧力ＬＰ１が第１目標低圧を上回っている場合、制御器（120）は、第１圧縮機部（111）の運転容量を増加させる。第１圧縮機部（111）の運転容量が増加すると、第１吸入配管（32）から第１圧縮機部（111）へ吸入される冷媒の流量が増加し、圧力ＬＰ１が低下する。一方、圧力ＬＰ１が第１目標低圧を下回っている場合、制御器（120）は、第１圧縮機部（111）の運転容量を減少させる。第１圧縮機部（111）の運転容量が減少すると、第１吸入配管（32）から第１圧縮機部（111）へ吸入される冷媒の流量が減少し、圧力ＬＰ１が上昇する。
【０２４１】
《発明の実施形態２》
本発明の実施形態２について説明する。本実施形態の冷凍装置（10）は、制御器（120）が行う動作の点で、実施形態１の冷凍装置（10）と相違する。ここでは、本実施形態の制御器（120）が行う動作について、実施形態１の制御器（120）が行う動作と異なる点を説明する。
【０２４２】
本実施形態の制御器（120）では、第１圧縮機部（111）の基準容量が第１圧縮機部（111）の最適容量に設定され、第２圧縮機部（112）の基準容量が第２圧縮機部（112）の最適容量に設定される。ここで、圧縮機（24,25）を構成する圧縮機構は、その回転速度が特定の値（最適回転速度）のときに効率が最も高くなる。そして、圧縮機構の回転速度が最適回転速度であるときの圧縮機（24,25）の運転周波数を、最適周波数とする。本実施形態において、第１圧縮機部（111）の運転容量は、第１圧縮機（24）の運転周波数が最適周波数であるときに最適容量となり、第２圧縮機部（112）の運転容量は、第２圧縮機（25）の運転周波数が最適周波数であるときに最適容量となる。
【０２４３】
〈冷蔵・冷房運転中の動作〉
冷蔵・冷房運転中において、制御器（120）は、図１６〜図１８のフロー図に示す動作を行う。ここでは、本実施形態の制御器（120）が行う動作について、実施形態１の制御器（120）が行う動作と異なる点を説明する。
【０２４４】
図１６に示すように、本実施形態の制御器（120）は、図９のステップST05に代えてステップST05'を、図９のステップST10に代えてステップST10'を、図９のステップST11に代えてステップST11'を、それぞれ行う。
【０２４５】
ステップST05'において、制御器（120）は、“第２圧縮機部（112）の運転容量が最適容量以上である”という条件の成否を判断する。この条件が成立する場合は、空調ユニット（80）の冷房負荷を第２圧縮機部（112）だけで処理すると、第２圧縮機部（112）を構成する第２圧縮機（25）の運転効率が低下する状況となっている。そこで、制御器（120）は、ステップST06において、第２制御動作を行う。この第２制御動作については、後述する。一方、この条件が成立しない場合は、空調ユニット（80）の冷房負荷を第２圧縮機部（112）だけで処理できる状況である。そこで、制御器（120）は、ステップST07において、流量調節弁（48）を全閉状態とし、圧力ＬＰ２に基づく第２圧縮機部（112）の運転容量の調節を行う。
【０２４６】
ステップST10'において、制御器（120）は、“第１圧縮機部（111）の運転容量が最適容量以上である”という条件の成否を判断する。この条件が成立する場合は、冷蔵ユニット（70）の冷却負荷を第１圧縮機部（111）だけで処理すると、第１圧縮機部（111）を構成する第１圧縮機（24）の運転効率が低下する状況となっている。そこで、ステップST10'の条件が成立する場合、制御器（120）は、ステップST11'の動作を行う。
【０２４７】
ステップST11'において、制御器（120）は、“第２圧縮機部（112）の運転容量が最適容量以上である”という条件の成否を判断する。
【０２４８】
ステップST11'の条件が成立する場合、制御器（120）は、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。具体的に、制御器（120）は、圧力ＬＰ１が第１目標低圧を上回る場合は、第１圧縮機（24）の運転周波数と第２圧縮機（25）の運転周波数とを同じ値だけ上昇させ、圧力ＬＰ１が第１目標低圧を下回る場合は、第１圧縮機（24）の運転周波数と第２圧縮機（25）の運転周波数とを同じ値だけ低下させる。また、制御器（120）は、第１圧縮機（24）の運転周波数と第２圧縮機（25）の運転周波数とを同じ値に設定する。
【０２４９】
一方、ステップST11'の条件が成立しない場合、制御器（120）は、第１圧縮機部（111）の運転容量を最適容量に保持し、第２圧縮機部（112）の運転容量を圧力ＬＰ１が第１目標低圧（０.４８ＭＰａ）となるように調節する。具体的に、制御器（120）は、圧力ＬＰ１が第１目標低圧を上回る場合は、第２圧縮機（25）の運転周波数を上昇させ、圧力ＬＰ１が第１目標低圧を下回る場合は、第２圧縮機（25）の運転周波数を低下させる。
【０２５０】
〔第１制御動作〕
実施形態１の制御器（120）と同様に、本実施形態の制御器（120）は、図１６のステップST02において第１制御動作を行う。ただし、本実施形態の制御器（120）が行う第１制御動作は、実施形態１の制御器（120）が行う第１制御動作と相違する。ここでは、本実施形態の制御器（120）が行う第１制御動作について、実施形態１の制御器（120）が行う第１制御動作と異なる点を説明する。
【０２５１】
図１７に示すように、本実施形態の制御器（120）は、図１０のステップST21に代えてステップST21'を、図１０のステップST22に代えてステップST22'を、それぞれ行う。また、本実施形態の制御器（120）は、ステップST81、ステップST82、及びステップST83の動作を行う。
【０２５２】
ステップST21'において、制御器（120）は、“第２圧縮機部（112）の運転容量が最適容量以上である”という条件の成否を判断する。ステップST21'の条件が成立する場合、制御器（120）は、ステップST22'において、“第１圧縮機部（111）の運転容量が最適容量以上である”という条件の成否を判断する。また、ステップST22'が成立する場合、制御器（120）は、ステップST81において、“流量調節弁（48）が開いている”という条件の成否を判断する。
【０２５３】
ステップST81の条件が成立しない場合、流量調節弁（48）は実質的に全閉状態となっている。この場合は、冷蔵ユニット（70）の冷却負荷を第１圧縮機部（111）だけで処理でき、空調ユニット（80）の冷房負荷を第２圧縮機部（112）だけで処理できる状況である。そこで、この場合、制御器（120）は、ステップST83において、第１圧縮機部（111）及び第２圧縮機部（112）の運転容量を調節する。具体的に、制御器（120）は、第１圧縮機部（111）の運転容量を、第１吸入配管（32）内の冷媒圧力ＬＰ１が第１目標低圧（０.４８ＭＰａ）となるように調節する。また、制御器（120）は、第２圧縮機部（112）の運転容量を、第２吸入配管（34）内の冷媒圧力ＬＰ２が第２目標低圧（０.８５ＭＰａ）となるように調節する。
【０２５４】
一方、ステップST81の条件が成立する場合は、流量調節弁（48）が既に開いており、冷蔵ユニット（70）の冷却負荷を第１圧縮機部（111）だけで処理すると、第１圧縮機部（111）を構成する第１圧縮機（24）の運転効率が低下する状況となっている。そこで、この場合、制御器（120）は、ステップST82において、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。具体的に、制御器（120）は、圧力ＬＰ１が第１目標低圧を上回る場合は、第１圧縮機（24）の運転周波数と第２圧縮機（25）の運転周波数とを同じ値だけ上昇させ、圧力ＬＰ１が第１目標低圧を下回る場合は、第１圧縮機（24）の運転周波数と第２圧縮機（25）の運転周波数とを同じ値だけ低下させる。また、制御器（120）は、第１圧縮機（24）の運転周波数と第２圧縮機（25）の運転周波数とを同じ値に設定する。
【０２５５】
制御器（120）は、ステップST82の動作を行うと、次にステップST23の動作を行う。このステップST23の動作は、図１０のステップST23の動作と同じである。
【０２５６】
〔第２制御動作〕
実施形態１の制御器（120）と同様に、本実施形態の制御器（120）は、図１６のステップST06において第２制御動作を行う。ただし、本実施形態の制御器（120）が行う第２制御動作は、実施形態１の制御器（120）が行う第２制御動作と相違する。ここでは、本実施形態の制御器（120）が行う第２制御動作について、実施形態１の制御器（120）が行う第２制御動作と異なる点を説明する。
【０２５７】
図１８に示すように、本実施形態の制御器（120）は、図１１のステップST33に代えてステップST33'を、図１１のステップST34に代えてステップST34'を、それぞれ行う。また、本実施形態の制御器（120）は、ステップST84の動作を行う。
【０２５８】
ステップST33'において、制御器（120）は、“第１圧縮機部（111）の運転容量が最適容量以上である”という条件の成否を判断する。
【０２５９】
ステップST33'の条件が成立する場合、制御器（120）は、第２吸入配管（34）内の冷媒圧力ＬＰ２が第２目標低圧（０.８５ＭＰａ）となるように、第１圧縮機部（111）の運転容量と第２圧縮機部（112）の運転容量とを同期変化させる。具体的に、制御器（120）は、圧力ＬＰ２が第２目標低圧を上回る場合は、第１圧縮機（24）の運転周波数と第２圧縮機（25）の運転周波数とを同じ値だけ上昇させ、圧力ＬＰ２が第２目標低圧を下回る場合は、第１圧縮機（24）の運転周波数と第２圧縮機（25）の運転周波数とを同じ値だけ低下させる。また、制御器（120）は、第１圧縮機（24）の運転周波数と第２圧縮機（25）の運転周波数とを同じ値に設定する。
【０２６０】
一方、ステップST33'の条件が成立しない婆、制御器（120）は、第２圧縮機部（112）の運転容量を最適容量に保持し、第１圧縮機部（111）の運転容量を圧力ＬＰ２が第２目標低圧（０.８５ＭＰａ）となるように調節する。具体的に、制御器（120）は、圧力ＬＰ２が第２目標低圧を上回る場合は、第２圧縮機（25）の運転周波数を上昇させ、圧力ＬＰ２が第２目標低圧を下回る場合は、第２圧縮機（25）の運転周波数を低下させる。
【０２６１】
ステップST34'において、制御器（120）は、“第１圧縮機部（111）の運転容量が最適容量以上である”という条件の成否を判断する。ステップST34'の条件が成立しない場合は、第１圧縮機部（111）の運転容量を増やす余地がある。そこで、この場合、制御器（120）は、実施形態１と同様に、ステップST36とステップST37の動作を行う。一方、ステップST34'の条件が成立する場合、制御器（120）は、ステップST84において、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。ステップST84において制御器（120）が行う動作は、図１７のステップST82において制御器（120）が行う動作と同じである。
【０２６２】
制御器（120）は、ステップST84の動作を行うと、次にステップST35の動作を行う。このステップST35の動作は、図１１のステップST35の動作と同じである。
【０２６３】
〈冷蔵・暖房運転中の動作〉
冷蔵・暖房運転中において、制御器（120）は、図１９〜図２１のフロー図に示す動作を行う。ここでは、本実施形態の制御器（120）が行う動作について、実施形態１の制御器（120）が行う動作と異なる点を説明する。
【０２６４】
図１９に示すように、本実施形態の制御器（120）は、図１２のステップST46に代えてステップST46'を、図１２のステップST47に代えてステップST47'を、図１２のステップST52に代えてステップST52'を、図１２のステップST53に代えてステップST53'を、それぞれ行う。
【０２６５】
ステップST46'において、制御器（120）は、“第１圧縮機部（111）の運転容量が最適容量以上である”という条件の成否を判断する。ステップST46'の条件が成立しない場合は、冷蔵ユニット（70）の冷却負荷を第１圧縮機部（111）だけで処理できる状況である。そこで、この場合、制御器（120）は、ステップST49、ステップST50、及びステップST51の動作を行う。これらの動作は、それぞれ図１２のステップST49、ステップST50、及びステップST51の動作と同じである。一方、ステップST46'の条件が成立する場合は、冷蔵ユニット（70）の冷却負荷を第１圧縮機部（111）だけで処理すると、第１圧縮機部（111）を構成する第１圧縮機（24）の運転効率が低下する状況となっている。そこで、この場合、制御器（120）は、ステップST47'の動作を行う。
【０２６６】
ステップST47'において制御器（120）が行う動作は、図１６のステップST11'において制御器（120）が行う動作と同じである。つまり、ステップST47'において、制御器（120）は、“第２圧縮機部（112）の運転容量が最適容量以上である”という条件の成否を判断する。そして、この条件が成立する場合、制御器（120）は、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。一方、この条件が成立しない場合、制御器（120）は、第１圧縮機部（111）の運転容量を最適容量に保持し、第２圧縮機部（112）の運転容量を圧力ＬＰ１が第１目標低圧となるように調節する。
【０２６７】
ステップST52'において、制御器（120）は、“第２圧縮機部（112）の運転容量が最適容量以上である”という条件の成否を判断する。ステップST52'の条件が成立しない場合は、空調ユニット（80）の暖房負荷を第２圧縮機部（112）だけで処理できる状況である。そこで、この場合、制御器（120）は、ステップST55およびステップST56の動作を行う。これらの動作は、それぞれ図１２のステップST55およびステップST56の動作と同じである。一方、ステップST52'の条件が成立する場合は、空調ユニット（80）の暖房負荷を第２圧縮機部（112）だけで処理すると、第２圧縮機部（112）を構成する第２圧縮機（25）の運転効率が低下する状況となっている。そこで、この場合、制御器（120）は、ステップST53'の動作を行う。
【０２６８】
ステップST53'において、制御器（120）は、“第１圧縮機部（111）の運転容量が最適容量以上である”という条件の成否を判断する。
【０２６９】
ステップST53'の条件が成立する場合、制御器（120）は、空調熱交換器（84）における冷媒の凝縮温度Ｔｃが目標温度（５５℃）となるように、第１圧縮機部（111）の運転容量と第２圧縮機部（112）の運転容量とを同期変化させる。具体的に、制御器（120）は、冷媒の凝縮温度Ｔｃが目標温度（５５℃）を上回っている場合は、第１圧縮機（24）の運転周波数と第２圧縮機（25）の運転周波数とを同じ値だけ低下させ、冷媒の凝縮温度Ｔｃが目標温度（５５℃）を下回っている場合は、第１圧縮機（24）の運転周波数と第２圧縮機（25）の運転周波数とを同じ値だけ上昇させる。また、制御器（120）は、第１圧縮機（24）の運転周波数と第２圧縮機（25）の運転周波数とを同じ値に設定する。
【０２７０】
一方、ステップST33'の条件が成立しない婆、制御器（120）は、第２圧縮機部（112）の運転容量を最適容量に保持し、第１圧縮機部（111）の運転容量を冷媒の凝縮温度Ｔｃが目標温度（５５℃）となるように調節する。具体的に、制御器（120）は、冷媒の凝縮温度Ｔｃが目標温度を上回る場合は、第１圧縮機（24）の運転周波数を低下させ、冷媒の凝縮温度Ｔｃが目標温度を下回る場合は、第１圧縮機（24）の運転周波数を上昇させる。
【０２７１】
〔第１併存運転用の制御動作〕
実施形態１の制御器（120）と同様に、本実施形態の制御器（120）は、第１併存運転用の制御動作を行う。ただし、本実施形態の制御器（120）が行う第１併存運転用の制御動作は、実施形態１の制御器（120）が行う第１併存運転用の制御動作と相違する。ここでは、本実施形態の制御器（120）が行う第１併存運転用の制御動作について、実施形態１の制御器（120）が行う第１併存運転用の制御動作と異なる点を説明する。
【０２７２】
図２０に示すように、本実施形態の制御器（120）は、図１３のステップST62に代えてステップST62'を、図１３のステップST63に代えてステップST63'を、それぞれ行う。
【０２７３】
ステップST62'において、制御器（120）は、“第１圧縮機部（111）の運転容量が最適容量以上である”という条件の成否を判断する。ステップST62'の条件が成立しない場合は、冷蔵ユニット（70）の冷却負荷を第１圧縮機部（111）だけで処理できる状況である。そこで、この場合、制御器（120）は、ステップST65およびステップST66の動作を行う。これらの動作は、それぞれ図１３のステップST65およびステップST66の動作と同じである。一方、ステップST62'の条件が成立する場合は、冷蔵ユニット（70）の冷却負荷を第１圧縮機部（111）だけで処理すると、第１圧縮機部（111）を構成する第１圧縮機（24）の運転効率が低下する状況となっている。そこで、この場合、制御器（120）は、ステップST63'の動作を行う。
【０２７４】
ステップST63'の動作は、図１９のステップST47'の動作と同じである。制御器（120）は、ステップST63'において、“第１圧縮機部（111）の運転容量が最適容量以上である”という条件の成否を判断する。この条件が成立しない場合、制御器（120）は、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。一方、この条件が成立しない場合、制御器（120）は、第１圧縮機部（111）の運転容量を最適容量に保持し、第２圧縮機部（112）の運転容量を圧力ＬＰ１が第１目標低圧となるように調節する。
【０２７５】
〔第２併存運転用の制御動作〕
実施形態１の制御器（120）と同様に、本実施形態の制御器（120）は、第２併存運転用の制御動作を行う。ただし、本実施形態の制御器（120）が行う第２併存運転用の制御動作は、実施形態１の制御器（120）が行う第２併存運転用の制御動作と相違する。ここでは、本実施形態の制御器（120）が行う第２併存運転用の制御動作について、実施形態１の制御器（120）が行う第２併存運転用の制御動作と異なる点を説明する。
【０２７６】
図２１に示すように、本実施形態の制御器（120）は、図１４のステップST72に代えてステップST72'を、図１４のステップST73に代えてステップST73'を、それぞれ行う。
【０２７７】
ステップST72'において、制御器（120）は、“第１圧縮機部（111）の運転容量が最適容量以上である”という条件の成否を判断する。ステップST72'の条件が成立しない場合は、冷蔵ユニット（70）の冷却負荷を第１圧縮機部（111）だけで処理できる状況である。そこで、この場合、制御器（120）は、ステップST75およびステップST76の動作を行う。これらの動作は、それぞれ図１４のステップST75およびステップST76の動作と同じである。一方、ステップST72'の条件が成立する場合は、冷蔵ユニット（70）の冷却負荷を第１圧縮機部（111）だけで処理すると、第１圧縮機部（111）を構成する第１圧縮機（24）の運転効率が低下する状況となっている。そこで、この場合、制御器（120）は、ステップST73'の動作を行う。
【０２７８】
ステップST73'の動作は、図２０のステップST63'の動作と同じである。具体的に、制御器（120）は、ステップST73'において、“第１圧縮機部（111）の運転容量が最適容量以上である”という条件の成否を判断する。この条件が成立しない場合、制御器（120）は、第１吸入配管（32）内の冷媒圧力ＬＰ１が第１目標低圧（０.４８ＭＰａ）となるように、第１圧縮機部（111）の運転容量と第２圧縮機部（112）の運転容量とを同期変化させる。一方、この条件が成立しない場合、制御器（120）は、第１圧縮機部（111）の運転容量を最適容量に保持し、第２圧縮機部（112）の運転容量を圧力ＬＰ１が第１目標低圧となるように調節する。
【０２７９】
《その他の実施形態》
実施形態１及び２の冷凍装置（10）では、第１圧縮機部（111）と第２圧縮機部（112）のそれぞれが一台の圧縮機（24,25）によって構成されているが、第１圧縮機部（111）を複数台の圧縮機によって構成してもよいし、第２圧縮機部（112）を複数台の圧縮機によって構成してもよい。
【０２８０】
ここでは、本変形例の冷凍装置（10）について、第１圧縮機部（111）が二台の圧縮機によって構成され、第２圧縮機部（112）が一台の圧縮機によって構成される場合を例に説明する。また、ここでは、本変形例の冷凍装置（10）について、実施形態１の冷凍装置（10）と異なる点を説明する。
【０２８１】
図２２に示すように、本変形例の冷凍装置（10）では、第１圧縮機部（111）が第１圧縮機（24）と第３圧縮機（113）とによって構成され、第２圧縮機部（112）が第２圧縮機（25）によって構成される。第３圧縮機（113）は、スクロール型の全密閉型圧縮機である。図示しないが、第３圧縮機（113）では、スクロール型流体機械である圧縮機構と、圧縮機構を駆動する電動機とが、密閉容器状のケーシングに収容されている。第３圧縮機（113）の電動機には、商用電源からの交流がそのまま供給される。従って、第３圧縮機（113）は、圧縮機構の回転速度が一定となり、その運転容量が一定となる。
【０２８２】
本変形例では、第１吐出配管（31）が主吐出管（31a）と補助吐出管（31b）とによって構成され、第１吸入配管（32）が主吸入管（32a）と補助吸入管（32b）とによって構成される。
【０２８３】
主吐出管（31a）は、第１圧縮機（24）の吐出部を第１四方切換弁（27）の第１ポートに接続する。主吐出管（31a）には、第１圧縮機（24）から第１四方切換弁（27）へ向かって順に、第１吐出温度センサ（90）と、第１逆止弁（CV1）と、吐出圧力センサ（91）とが設けられている。
【０２８４】
補助吐出管（31b）は、第３圧縮機（113）の吐出部を、主吐出管（31a）における吐出圧力センサ（91）と第１四方切換弁（27）の間に接続する。補助吐出管（31b）には、第３圧縮機（113）から主吐出管（31a）へ向かって順に、第３吐出温度センサ（115）と、第７逆止弁（CV7）とが設けられている。第３吐出温度センサ（115）は、第３圧縮機（113）の吐出冷媒の温度を検出する。第７逆止弁（CV7）は、図２２に示す矢印の方向への冷媒の流れを許容し、その逆の方向への冷媒の流れを禁止する。また、本変形例では、第２吐出配管（33）は、補助吐出管（31b）における第７逆止弁（CV7）の下流側に接続される。
【０２８５】
本変形例では、第１吸入配管（32）が主吐出管（31a）と補助吐出管（31b）とによって構成され、第１吸入配管（32）が主吸入管（32a）と補助吸入管（32b）とによって構成される。主吸入管（32a）は、第１圧縮機（24）の吸入部を冷蔵側ガス閉鎖弁（13）に接続する。主吸入管（32a）には、冷蔵側ガス閉鎖弁（13）から第１圧縮機（24）へ向かって順に、第１吸入圧力センサ（94）と第１吸入温度センサ（93）とが設けられている。補助吸入管（32b）は、第３圧縮機（113）の吸入部を、主吸入管（32a）における第１吸入温度センサ（93）の下流側に接続する。
【０２８６】
本変形例のインジェクション回路（55）には、第３導入管（114）が追加されている。第３導入管（114）は、一端が第１導入管（58）における第１インジェクション弁（61）の上流側に接続され、他端が第３圧縮機（113）に接続される。第３導入管（114）は、第３圧縮機（113）の圧縮途中の圧縮室に中間圧の冷媒を供給する。また、第３導入管（114）には、第３インジェクション弁（63）が設けられる。第３インジェクション弁（63）は、開度可変の電子膨張弁であり、第３圧縮機（113）へ導入する中間圧の冷媒の流量を調節する。
【０２８７】
本変形例において、第１圧縮機部（111）の運転容量は、第１圧縮機（24）の運転周波数が上限値であり、且つ第３圧縮機（113）が作動している場合に、最大容量となる。また、第１圧縮機部（111）の運転容量は、第１圧縮機（24）の運転周波数が最適周波数であり、且つ第３圧縮機（113）が作動している場合に、最適容量となる。
【産業上の利用可能性】
【０２８８】
以上説明したように、本発明は、複数種類の利用側熱交換器が設けられた冷凍装置について有用である。
【符号の説明】
【０２８９】
10    冷凍装置
11    冷媒回路
24    第１圧縮機（圧縮機）
25    第２圧縮機（圧縮機）
26    室外熱交換器（熱源側熱交換器）
32    第１吸入配管
34    第２吸入配管
47    接続用配管
48    流量調節弁（調節弁）
74    冷蔵熱交換器（第１利用側熱交換器）
84    空調熱交換器（第２利用側熱交換器）
110    切換機構
111    第１圧縮機部
112    第２圧縮機部
【図１】
2014070822.tif 000003
【図２】
2014070822.tif 000004
【図３】
2014070822.tif 000005
【図４】
2014070822.tif 000006
【図５】
2014070822.tif 000007
【図６】
2014070822.tif 000008
【図７】
2014070822.tif 000009
【図８】
2014070822.tif 000010
【図９】
2014070822.tif 000011
【図１０】
2014070822.tif 000012
【図１１】
2014070822.tif 000013
【図１２】
2014070822.tif 000014
【図１３】
2014070822.tif 000015
【図１４】
2014070822.tif 000016
【図１５】
2014070822.tif 000017
【図１６】
2014070822.tif 000018
【図１７】
2014070822.tif 000019
【図１８】
2014070822.tif 000020
【図１９】
2014070822.tif 000021
【図２０】
2014070822.tif 000022
【図２１】
2014070822.tif 000023
【図２２】
2014070822.tif 000024